(57)【要約】【課題】子供が自由に発想した立体創造物を具現化できるブロックセットを得ることができる立体創造物組み立て用ブロックの作製装置を提供する。【解決手段】紙製円筒状細筒ブロックと該細筒ブロックを挿着できる内径を有する紙製円筒状太筒ブロックとからなるブロックセットの該細筒ブロックと該太筒ブロックとを作製するための立体創造物組み立て用ブロックの作製装置であって、対面して立設されて相対する位置に軸穴が開口した一組の支持板と該軸穴に回転可能に架設して紙を巻き取って細筒ブロックを作製する組込用紙巻取芯軸と該軸穴に回転可能に架設して紙を巻き取って太筒ブロックを作製する該組込用紙巻取芯軸の外径より大きい外径の組立用紙巻取芯軸とを備えている立体創造物組み立て用ブロックの作製装置。【選択図】　図１
2004000435.tif 000002
【特許請求の範囲】
【請求項１】
紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸とを備えていることを特徴とする立体創造物組み立て用ブロックの作製装置。
【請求項２】
紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えていることを特徴とする立体創造物組み立て用ブロックの作製装置。
【請求項３】
紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されていることを特徴とする立体創造物組み立て用ブロックの作製装置。
【請求項４】
紙厚報知手段が組立用太筒ブロックの空洞部に嵌まる外径に巻き取られた紙筒の紙厚寸法を指示する紙厚表示部である請求項２又は３記載の立体創造物組み立て用ブロックの作製装置。
【請求項５】
紙厚報知手段が軸穴に回転可能に架設された組込用紙巻取芯軸に側方から嵌合して遊嵌状態で保持される円弧状嵌合凹部を有する紙厚認知アーム部であり、組込用紙巻取芯軸に巻き取られた紙筒が円弧状嵌合凹部に密着状態で嵌合して該組込用紙巻取芯軸への巻き取りが阻止されることにより、当該組込用紙巻取芯軸に巻き取られる紙の筒径が組立用太筒ブロックの空洞部に嵌まる外径に巻き取られたことを知らせる請求項２又は３記載の立体創造物組み立て用ブロックの作製装置。
【請求項６】
紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えていることを特徴とする立体創造物組み立て用ブロックの作製装置。
【請求項７】
紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されていることを特徴とする立体創造物組み立て用ブロックの作製装置。
【発明の詳細な説明】
【０００１】
【発明の属する技術分野】
本発明は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組込用細筒ブロックを組立用太筒ブロックの空洞部や組立用太筒ブロックの側面に開口した組込穴に挿着して立体創造物を組み立てるブロックセットにおける前記二種類のブロックを作製するための立体創造物組み立て用ブロックの作製装置に関するものである。
【０００２】
【従来の技術】
周知の通り、子供の創造力を養う教育玩具としてプラスチック製のブロック同志を連結して立体創造物を組み立てる組立玩具や予め想定される組上がりの立体創造物を各パーツに分割したブロックからなり、このブロックに電子部品等を組み込んで該各ブロックが有する組立可能な立体創造物を組み上げる組立玩具が汎用されている。
【０００３】
なお、本発明に係る立体創造物組み立て用ブロックの作製装置に係る先行特許文献は見出せなかったので、当該装置における紙巻機構に係る先行特許文献として、ロール紙巻取装置に係る次の特許文献を挙げた。
【０００４】
【特許文献１】
特開平１１−２１７１３８号公報
【０００５】
【発明が解決しようとする課題】
しかし、前記従来の組立玩具で組み上げることができる立体創造物は、該組立玩具が内包する組立可能な範囲内での組上がり立体創造物に限られ、子供が自由に発想した立体創造物を具現化するには限界があるという問題点があった。また、前記従来の組立玩具を子供の創造力を養う教材用の教育玩具として使用するには組立玩具を子供の人数分用意する必要があるが、組立玩具が精密化、高級化して高価であるため、教育経費が嵩むという問題点があった。さらに、親が購入して子供にあてがうだけの前記従来の組立玩具では、親子の会話を減少させる傾向にあった。
【０００６】
そこで、本発明者は、子供が自由に発想した立体創造物を具現化できるブロックセットを得ることができる立体創造物組み立て用ブロックの作製装置を提供することを技術的課題として研究・実験を重ねた結果、立体創造物を組み上げるパーツを市販品により取り揃えるのではなく、毎日配布される新聞や折り込みチラシや包装紙や使用済みコピー紙等を使用して立体創造物を組み上げることができるパーツを作製すれば、市販の組立玩具を購入する必要がないので、教育現場へ容易に取り入れることができ、不要になった紙のリサイクル化にも繋がって省エネルギーにも貢献でき、しかも、親と子の共同作業により、子供が発想した立体創造物を構成する各パーツを作製すれば親子が共に遊ぶことができて親子の会話機会が増えるという刮目すべき知見を得、前記技術的課題を達成したものである。
【０００７】
【課題を解決するための手段】
前記技術的課題は、次の通りの本発明によって解決できる。
【０００８】
即ち、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸とを備えているものである。
【０００９】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えているものである。
【００１０】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されているものである。
【００１１】
また、本発明は、前記いずれかの立体創造物組み立て用ブロックの作製装置において、紙厚報知手段を組立用太筒ブロックの空洞部に嵌まる外径に巻き取られた紙筒の紙厚寸法を指示する紙厚表示部としたものである。
【００１２】
また、本発明は、前記いずれかの立体創造物組み立て用ブロックの作製装置において、紙厚報知手段を軸穴に回転可能に架設された組込用紙巻取芯軸に側方から嵌合して遊嵌状態で保持される円弧状嵌合凹部を有する紙厚認知アーム部とし、組込用紙巻取芯軸に巻き取られた紙筒が円弧状嵌合凹部に密着状態で嵌合して該組込用紙巻取芯軸への巻き取りが阻止されることにより、当該組込用紙巻取芯軸に巻き取られる紙の筒径が組立用太筒ブロックの空洞部に嵌まる外径に巻き取られたことを知らせるものである。
【００１３】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えているものである。
【００１４】
さらに、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されているものである。
【００１５】
【発明の実施の形態】
以下、本発明の実施の形態を図面に基づき説明する。
【００１６】
実施の形態１．
【００１７】
図１は本発明の実施の形態に係る立体創造物組み立て用ブロックの作製装置を示す斜視図、図２は図１に図示した立体創造物組み立て用ブロックの作製装置における組立用紙巻取芯軸を示す一部省略斜視図、図３は組込用紙巻取芯軸を示す一部省略斜視図、図４は図１に図示した一組の押圧ローラと紙厚表示部との機構を説明する斜視図、図５は組込用紙巻取芯軸を支持板の軸穴に架設した状態を示す組込用紙巻取芯軸の一部省略正面図であり、組込用紙巻取芯軸と支持板と軸受とは組込用紙巻取芯軸の軸心を通る縦断面にて図示されている。また、図６及び図７は紙巻取芯軸と押圧ローラと紙厚表示部と案内板との位置関係を説明する側面図、図８及び図９は立体創造物組み立て用ブロックの作製装置により作製した組込用細筒ブロックと組立用太筒ブロックとを示す斜視図である。なお、組込用紙巻取芯軸と組立用紙巻取芯軸とは外径の大きさは異なるが、形状は略同じであるため、図１においては組立用紙巻取芯軸を架設した場合について示し、図６及び図７に図示する紙巻取芯軸は組込用紙巻取芯軸と組立用紙巻取芯軸との両方の紙巻取芯軸を示している。なお、図５において一組の押圧ローラは省略されている。
【００１８】
これらの図において、１は、新聞や折り込みチラシや包装紙や使用済みコピー紙等の所望広さの紙２を円筒状に巻いた所望長さの組込用細筒ブロック（以下、「細筒ブロック」ともいう。）３（図８及び図９参照）と、細筒ブロック３が挿着できる内径を有する紙２を円筒状に巻いた所望長さの組立用太筒ブロック（以下、「太筒ブロック」ともいう。）４（図８及び図９参照）との当該二種類のブロックを作製するための立体創造物組み立て用ブロックの作製装置（以下、単に、「ブロック作製装置」ともいう。）であり、ブロック作製装置１は紙２を巻き取って細筒ブロック３を得る円筒状組込用紙巻取芯軸５（図３参照）と紙２を巻き取って太筒ブロック４を得る円筒状組立用紙巻取芯軸６（図１及び図２参照）とを備え、該ブロック作製装置１により長さや太さ、更には、外形状の異なる複数種類の細筒ブロック３と太筒ブロック４とを作製してこれらの細筒ブロック３と太筒ブロック４とからなるブロックセットを用いて太筒ブロック４の空洞部７（図８及び図９参照）や太筒ブロック４の側面に開けた組込穴８（図９参照）に細筒ブロック３を挿着して立体創造物を組み立てるものである。
【００１９】
前記ブロック作製装置１は、図１に示すように、上面及び前面が開口する箱型に形成された枠体９の両側板を形成する対面して立設された軸受側支持板１０と差込側支持板１１と、枠体９の前面側位置の軸受側支持板１０と差込側支持板１１との相対する位置に開口した、紙巻取芯軸５，６を挿入して回転可能に架設できる軸受側軸穴１２及び差込側軸穴１３と、軸受側軸穴１２と差込側軸穴１３とに架設された紙巻取芯軸５，６（図１においては組立用紙巻取芯軸６が架設されている。）に上下の両側から付勢して当接させる回動自在な一組の円柱状押圧ローラ１４，１５と、組込用紙巻取芯軸５に紙２が巻き取られるに従って押し広げられる押圧ローラ１４，１５に連動して太筒ブロック４の空洞部７に嵌まる外径に巻き取られた紙厚寸法を指示する紙厚表示部１６と、軸受側軸穴１２と差込側軸穴１３とに架設された紙巻取芯軸５，６の該軸心に対して平行に沿うように軸受側支持板１０と差込側支持板１１との間に横設された、紙２の先端辺を紙巻取芯軸５，６へ案内する案内板１７とから構成されており、前記軸受側軸穴１２と差込側軸穴１３との穴径は組立用紙巻取芯軸６を回動可能に挿設できる径に形成されている。
【００２０】
前記組立用紙巻取芯軸６は組込用紙巻取芯軸５の外径より大きい外径に形成されており、前記組込用紙巻取芯軸５は該組込用紙巻取芯軸５に紙２を充分巻き取った状態で組立用紙巻取芯軸６の外径を越えない径に形成されており、紙巻取芯軸５，６には、図２及び図３に示すように、いずれも紙巻取芯軸５，６の元端部５ａ，６ａを残して紙巻取芯軸５，６の軸心に対して平行に先端５ｂ，６ｂまで走る前記紙２の先端辺を挿入するスリット１８，１８が設けられ、紙巻取芯軸５，６の空洞内にはそれぞれ紙巻取芯軸５，６の内径より小さく該内径の１／２以上の外径で紙巻取芯軸５，６の全長より短い丸棒１９，１９が遊嵌状態で内蔵されて紙巻取芯軸５，６の元端部５ａ，６ａ側にて丸棒１９，１９に貫通した固定ピン２０，２０によりそれぞれ紙巻取芯軸５，６に固定されている。これによりスリット１８，１８の紙巻取芯軸５，６内は紙巻取芯軸５，６の側面から紙巻取芯軸５，６内に向かって該紙巻取芯軸５，６に内接する縦断面円弧状に形成されている（図６及び図７参照）。そして、前記案内板１７は紙巻取芯軸５，６が軸受側軸穴１２と差込側軸穴１３との間に架設されたときに該紙巻取芯軸５，６のスリット１８，１８に沿う位置に位置付けられ、当該案内板１７によって紙２の先端辺を容易にスリット１８に挿入することができ、縦断面円弧状のスリット形状によってスリット１８内に挿入された紙２の先端辺が紙巻取芯軸５，６内にて円弧状に納まり、丸棒１９，１９によって抜け取れが抑制されるようになっている。さらに、スリット１８，１８は紙巻取芯軸５，６の側面において先端５ｂ，６ｂまで形成されているので、紙巻取芯軸５，６に巻かれた紙筒を容易に抜き取ることができる。
【００２１】
前記紙巻取芯軸５，６には、図１乃至図３に示すように、紙巻取芯軸５，６の元端部５ａ，６ａ側に該紙巻取芯軸５，６の軸心を回転軸とするように円盤状ハンドル２１，２１が固定されており、該円盤状ハンドル２１，２１の側面の外周位置には紙巻取芯軸５，６を手回しする手回把手２２，２２が回動自在に設けられ、前記組込用紙巻取芯軸５の円盤状ハンドル２１には、図３及び図５に示すように、組込用紙巻取芯軸５の軸心を回転軸とする、差込側軸穴１３に回動可能に嵌まる円柱状ボス２３が一体的に設けられており、該組込用紙巻取芯軸５を差込側軸穴１３から通して軸受側軸穴１２と差込側軸穴１３とに回転可能に架設する場合には、組込用紙巻取芯軸５の先端５ｂを軸受側軸穴１２に回動可能に嵌めた鍔付円柱状軸受２４に挿着するようになっており、このため軸受２４の円柱面には、図５に示すように、軸受２４の軸心を中心とする組込用紙巻取芯軸５の肉厚径と同じ肉厚径のリング状円形溝２５が形成されて該円形溝２５に組込用紙巻取芯軸５の先端５ｂが嵌まる形状となっている。
【００２２】
前記押圧ローラ１４，１５は、図４に示すように、鋏状に交差させて差込側軸穴１３より奥側の差込側支持板１１に内側から回動自在に軸着した一対の差込側アーム２６，２６と同じく鋏状に交差させて軸受側軸穴１２より奥側にて当該一対の差込側アーム２６，２６に相対させて軸受側支持板１０に内側から回動自在に軸着した一対の軸受側アーム２７，２８とにおける枠体９前面側に当たる先端部２６ａ　と先端部２７ａ　、同じく先端部２６ａ　と先端部２８ａ　とにそれぞれ回動自在に軸着されている。そして、差込側アーム２６，２６の後端部２６ｂ　，２６ｂ　及び軸受側アーム２７，２８の後端部２７ｂ　，２８ｂ　近傍にはそれぞれ圧縮バネ２９，２９が掛け渡されて軸受側軸穴１２と差込側軸穴１３とに架設された紙巻取芯軸５，６を上下から平行に付勢して当接するようになっている。これにより、巻かれている紙筒（細筒ブロック３用紙筒，太筒ブロック４用紙筒）が常に圧縮された状態となり、この状態が保持されて巻き取られる。
【００２３】
また、前記軸受側アーム２７の後端部２７ｂ　には鋏状に交差した軸受側アーム２７，２８の軸心３０を中心として上方に円弧状に立設した目盛板３１が設けられていると共に、前記軸受側アーム２８の後端部２８ｂ　には当該目盛板３１に刻印された紙厚寸法目盛３２を指し示す指示針３３が形成されており、目盛板３１と紙厚寸法目盛３２と指示針３３とにより前記紙厚表示部１６を構成している。これにより、紙巻取芯軸５，６に紙２が巻き取られるに従って押圧ローラ１４，１５が押し広げられ、押圧ローラ１４，１５の動きに連動して目盛板３１が軸心３０を中心として下方へ動くと共に、軸受側アーム２８の後端部２８ｂ　が軸心３０を中心として上方へ動いて指示針３３が紙厚寸法目盛３２を指し示し、紙巻取芯軸５，６に巻き取られた紙筒の紙厚寸法を指示するようになっており、当該紙厚表示部１６によって組込用紙巻取芯軸５に巻き取られた紙２の紙厚が太筒ブロック４の空洞部７に嵌まる外径に巻き取られた紙厚寸法であるか否かを確認することができるようになっている。
【００２４】
次に、使用方法について説明する。
【００２５】
太筒ブロック４を作製する場合には、図１に示すように、差込側支持板１１の差込側軸穴１３から組立用紙巻取芯軸６を挿入し、上下の押圧ローラ１４，１５間に割り込ました状態で該組立用紙巻取芯軸６の先端６ｂを軸受側支持板１０の軸受側軸穴１２に通して軸受側軸穴１２と差込側軸穴１３との間に組立用紙巻取芯軸６を架設し、組立用紙巻取芯軸６のスリット１８が案内板１７の先端部１７ａ　に対面するように円盤状ハンドル２１の手回把手２２を持って組立用紙巻取芯軸６を回す。次いで、図６に示すように、スリット１８の長さ以内の幅に切った折り込みチラシ２の先端部を案内板１７に載せて該チラシ２の先端辺をスリット１８に挿入し、該先端辺が組立用紙巻取芯軸６内に形成された縦断面円弧状スリット１８に沿って丸棒１９に回り込むまで押し込む。
【００２６】
この後、手回把手２２を持って組立用紙巻取芯軸６を図６において矢印Ａ方向、即ち、チラシ２の先端辺がスリット１８の開口位置にて折り曲がる方向に回転させてチラシ２を巻き取っていく。図７に示すように、チラシ２が組立用紙巻取芯軸６に巻き取られるに従って押圧ローラ１４，１５が圧縮バネ２９，２９に抗して押し広げられ、押圧ローラ１４，１５の動きに連動して指示針３３が充分な剛性を有する厚さの太筒ブロック４用の紙筒となったことを示す紙厚寸法目盛３２を指示すれば、チラシ２の巻き取りを止めて案内板１７上に残ったチラシ２を案内板１７の先端部１７ａ　近傍にて切断して巻き取られた側の端面に糊等の接着剤を塗布して紙筒に接着する。
【００２７】
そして、組立用紙巻取芯軸６を差込側軸穴１３側から引き抜けば、スリット１８が組立用紙巻取芯軸６の先端６ｂまで形成されているので、太筒ブロック４用の紙筒が差込側支持板１１に遮られて枠体９内に残った状態で組立用紙巻取芯軸６から抜き取られる。当該太筒ブロック４用の紙筒を所望長さに切断すれば、太筒ブロック４ができ上がる。
【００２８】
次に、細筒ブロック３を作製する場合には、図５に示すように、軸受側軸穴１２に軸受２４を回動可能に嵌めた後、差込側軸穴１３から組込用紙巻取芯軸５を挿入して上下の押圧ローラ１４，１５間に割り込ました状態で該組込用紙巻取芯軸５の先端５ｂを軸受２４の円形溝２５に挿着する。このとき、ハンドル２１のボス２３は差込側軸穴１３に回動可能に嵌まっており、軸受側軸穴１２と差込側軸穴１３との間に組込用紙巻取芯軸５が架設された状態となる。
【００２９】
この後、前記組立用紙巻取芯軸６の場合と同様にして、図６に示すように、チラシ２の先端辺をスリット１８に挿入し、図７に示すように、チラシ２を巻き取っていく。チラシ２が組込用紙巻取芯軸５に巻き取られるに従って押圧ローラ１４，１５が圧縮バネ２９，２９に抗して押し広げられ、指示針３３が前記太筒ブロック４の内径寸法を示す紙厚寸法目盛３２を指示すれば、チラシ２の巻き取りを止めて案内板１７上に残ったチラシ２を切断して糊等を塗布して紙筒に接着し、細筒ブロック３用の紙筒を得る。当該細筒ブロック３用の紙筒を所望長さに切断すれば、細筒ブロック３ができ上がる。
【００３０】
本実施の形態では、太筒ブロック４と該太筒ブロック４の内径に略近い外径の細筒ブロック３を容易に作製することができるので、図８に示すように、太筒ブロック４の空洞部７に細筒ブロック３を密着状態に挿着することができ、図９に示すように、太筒ブロック４の側面に細筒ブロック３の外径に略近い内径の組込穴８を開けて該組込穴８に細筒ブロック３を挿着すれば、細筒ブロック３が太筒ブロック４に密着状態で装着される。
【００３１】
当該太筒ブロック４と細筒ブロック３とからなるブロックセットを用いれば、太筒ブロック４と細筒ブロック３とを任意の形状に組み立てることができるので、容易に立体創造物を組み上げることができ、当該ブロックセットには新聞や折り込みチラシや包装紙や使用済みコピー紙等を使用することができるので、材料費を必要とせず、当該紙２に印刷された字やイラスト等を絵模様として利用することもできる。
【００３２】
本実施の形態においては、ブロック作製装置１の上面及び前面全体が開口しているが、前面の開口は紙２を案内板１７上に差し入れて載せることができ、巻き取った紙筒を取り出すことができるスペースがあればよく、上面の開口は前記紙筒の端を糊付けでき、紙厚表示部１６の紙厚寸法目盛３２を確認することができるスペースがあればよい。
【００３３】
また、各押圧ローラ１４，１５は、各一枚からなる円板状押圧ローラであってもよく、複数個からなる円板状押圧ローラであってもよい。
【００３４】
また、ハンドル２１に噛合する減速回転用のギヤ系を設けてモータにより紙巻取芯軸５，６を回転させるようにしてもよい。
【００３５】
さらに、紙厚表示部１６が差込側アーム２６，２６の後端部２６ｂ　，２６ｂ　又は軸受側アーム２７，２８の後端部２７ｂ　，２８ｂ　に連結されたゲージメータ表示或いは液晶表示の距離測定器であり、対になったアーム後端部間（２６ｂ　と２６ｂ　、又は２７ｂ　と２８ｂ　）の広がり幅を表示するものであってもよい。
【００３６】
実施の形態２．
【００３７】
本実施の形態は、前記実施の形態１における紙巻取芯軸５，６を軸受側軸穴１２と差込側軸穴１３との間に架設する方法の変形例であり、図１０は紙巻取芯軸を差込側支持板の軸穴に通した状態を示す紙巻取芯軸の一部省略正面図であり、紙巻取芯軸と支持板と差込側軸受とは紙巻取芯軸の軸心を通る縦断面にて図示されている。また、図１１は軸受側軸穴と差込側軸穴との間に組込用紙巻取芯軸を架設した状態を示す一部省略縦断面図、図１２は軸受側軸穴と差込側軸穴との間に組立用紙巻取芯軸を架設した状態を示す一部省略縦断面図である。
【００３８】
図１０に示す変形例では、差込側軸穴１３の内径が組立用紙巻取芯軸６の外径より大きい内径に形成されており、紙巻取芯軸５，６が架設された状態における紙巻取芯軸５，６の差込側軸穴１３位置には該差込側軸穴１３に回動自在に嵌まる鍔付差込側軸受３４，３４が装着されている。また、丸棒１９，１９は紙巻取芯軸５，６内におけるスリット１８，１８が縦断面円弧状に形成されるようにハンドル２１に挿設されている。
【００３９】
本変形例では、鍔付差込側軸受３４を差込側軸穴１３に残した状態で紙巻取芯軸５，６を抜き取れば、細筒ブロック３用紙筒或いは太筒ブロック４用紙筒が軸受３４，３４に阻まれて枠体９内の残るので、当該紙筒を容易に取り出すことができる。
【００４０】
次に、図１１及び図１２に示す変形例では、軸受側軸穴１２の内径が組立用紙巻取芯軸６の外径より大きい内径に形成されており、軸受側軸穴１２には該軸受側軸穴１２に回動自在に嵌まる鍔付軸受３５が装着されている。そして、該軸受３５の円柱面には軸受３５の軸心を中心とする組込用紙巻取芯軸５の肉厚径と同じ肉厚径の組込用リング溝３６と該組込用リング溝３６を含んで該組込用リング溝３６より深い溝の組立用紙巻取芯軸６の外径と同じ内径の組立用リング溝３７が形成されている。
【００４１】
本変形例では、軸受３５に各紙巻取芯軸５，６の先端部５ｂ，６ｂを挿着できるリング溝３６，３７が形成されているので、使用する紙巻取芯軸によって軸受側軸穴１２に嵌める軸受を付け替える必要がない。
【００４２】
実施の形態３．
【００４３】
本実施の形態は、前記実施の形態１におけるスリット１８の変形例であり、図１３は紙巻取芯軸の説明図であり、図１３の（ａ）は紙巻取芯軸のスリットが見える正面図、図１３の（ｂ）は図１３の（ａ）におけるＢ−Ｂ線縦断面図である。また、図１４及び図１５は紙巻取芯軸の説明図であり、図１３に図示する紙巻取芯軸におけるＢ−Ｂ線縦断面と同等の断面図である。
【００４４】
図１３に示す変形例においては、紙巻取芯軸５，６が該紙巻取芯軸５，６を形成する縦断面半円弧状の樋型カバー３８と、該樋型カバー３８を被せることによって紙巻取芯軸５，６の側面にてスリット１８の開口幅を残した状態でスリット１８が形成される、両側に細幅路３９ａ　，３９ｂ　が走る中央部が半円状に隆起した合わせ軸部３９とから構成されており、スリット１８の開口を形成した状態で合わせ軸部３９に樋型カバー３８を被せて樋型カバー３８の端面と細幅路３９ａ　とを密着固定してなるものである。
【００４５】
また、図１４に示す変形例においては、丸棒１９がスリット１８の開口を臨むように該開口と対面する紙巻取芯軸５，６の内壁に接着されているものであり、本変形例においても紙巻取芯軸５，６内に紙巻取芯軸５，６に内接する縦断面円弧状のスリット１８が形成される。
【００４６】
さらに、図１５に示す変形例においては、紙巻取芯軸５，６が丸棒からなり、スリット１８が紙巻取芯軸５，６の外形を保持した状態で紙巻取芯軸５，６の側面から紙巻取芯軸５，６内に向かって紙巻取芯軸５，６に内接する縦断面円弧状に食い込んで形成されているものである。
【００４７】
本各変形例においても、縦断面円弧状のスリット１８が形成されているので、実施の形態１と同様の効果を奏することができる。
【００４８】
なお、図１３及び図１５に示す変形例における紙巻取芯軸５，６を使用するブロック作製装置１では、これらの図において矢印Ｃ方向にのみ回転させる歯車を紙巻取芯軸５，６に設けると共に、枠体９の支持板に当該歯車を一方向きに係止させる爪部を設けて紙巻取芯軸５，６の回転方向を規制する構成にしてもよい。
【００４９】
実施の形態４．
【００５０】
図１６は立体創造物の斜視図、図１７は所望の形状に切断された紙の平面図、図１８は図１７に図示する紙で作製された紙筒ブロックの正面図であり、４０は第一紙筒ブロック４１と第二紙筒ブロック４２と第三紙筒ブロック４３と第四紙筒ブロック４４と第五紙筒ブロック４５とからなるブロックセットを使用して組み上げたレーシングカー状の立体創造物であり、第一紙筒ブロック４１を車軸及びマフラーとして組み込み、第二紙筒ブロック４２を車軸受として組み込み、第三紙筒ブロック４３をボディーとして組み込み、第四紙筒ブロック４４を車輪として組み込み、第五紙筒ブロック４５を座席として組み込んだものである。
【００５１】
第一紙筒ブロック４１は、組込用紙巻取芯軸５を用いて作製した細筒ブロック３であり、第二紙筒ブロック４２と第三紙筒ブロック４３とは第一紙筒ブロック４１を挿着できる内径となっており、第三紙筒ブロック４３の側面に形成された組込穴８に第一紙筒ブロック４１が挿着されているので、該第一紙筒ブロック４１に対しては組立用紙巻取芯軸６を用いて作製した太筒ブロック４であり、第四紙筒ブロック４４は、第二紙筒ブロック４２を挿着できる内径に形成されているので、第二紙筒ブロック４２に対しては他の組立用紙巻取芯軸６を用いて作製した太筒ブロック４である。また、第五紙筒ブロック４５は第三紙筒ブロック４３の外径より小さい外径に作製されている。
【００５２】
従って、当該五種類からなるブロックセットにおいては、最も細い第一紙筒ブロック４１が細筒ブロック３となり、最も太い第四紙筒ブロック４４は太筒ブロック４となる。そして、その間の太さの第二紙筒ブロック４２は、この紙筒ブロック４２の空洞部７に嵌めることができる外径の第一紙筒ブロック４１に対しては太筒ブロック４となり、この紙筒ブロック４２を嵌めることができる空洞部７を有する第四紙筒ブロック４４に対しては細筒ブロック３となるので、第二紙筒ブロック４２を作製する紙巻取芯軸は組込用紙巻取芯軸５でもあり、組立用紙巻取芯軸６でもある。
【００５３】
次に、図１７に示すように、例えば、包装紙２を空洞部を形成する紙面２ａを残して櫛歯状に切断し、紙巻取芯軸５，６で巻き取れば、図１８に示すように、正面視略串刺珠状の細筒ブロック３又は太筒ブロック４を得ることができる。
【００５４】
実施の形態５．
【００５５】
本実施の形態は、前記実施の形態１における紙厚表示部の変形例であり、図１９は本発明の実施の形態に係る立体創作物組み立て用ブロックの作製装置の説明図であり、図１９の（ａ）は立体創作物組み立て用ブロックの作製装置の側面図、図１９の（ｂ）は図１９の（ａ）に図示した立体創作物組み立て用ブロックの作製装置の正面図、図１９の（ｃ）は図１９の（ａ）に図示した立体創作物組み立て用ブロックの作製装置の前面部を示す一部省略平面図であり、図１９の（ａ）において枠体は省略され、図１９の（ｂ）において案内板は省略されている。これらの図において、図１〜図１８と同一符号は同一又は相当部分を示し、４６は紙巻取芯軸５（６）に巻き取られる紙２の紙厚寸法をロータリーエンコーダ４７の回転角度に基づきデジタル表示する距離測定装置（紙厚表示部）である。
【００５６】
前記距離測定装置４６は、枠体９の後部に配設された前記ロータリーエンコーダ４７と、押圧ローラ１４，１５の軸受側支持板１０側端部にそれぞれ回動自在に軸着したＵ溝滑車４８，４８と、ワイヤ４９の一端を軸受側支持板１０に設けたワイヤ止め５０に固定する共に、前記Ｕ溝滑車４８，４８に掛け渡して張った状態で他端をロータリーエンコーダ４７に固定した該ワイヤ４９と、ロータリーエンコーダ４７からの回転角度に基づく距離信号を受けてデジタル表示する液晶表示板５１とから構成されている。
【００５７】
なお、図１９の（ａ）において、５２は巻き取られた紙筒を取り出すガイド路であり、図１９の（ｃ）において、５３，５３は案内板１７の上面両側に設けられた、紙２の先端辺を紙巻取芯軸５（６）のスリット１８（１８）に導く仕切壁である。また、本実施の形態における紙巻取芯軸５（６）は該紙巻取芯軸５（６）を架設した際のＵ溝滑車４８，４８に当たる位置を含んで先端まで細く形成されており、Ｕ溝滑車４８，４８の外径は押圧ローラ１４，１５の外径と略同じ径となっている。
【００５８】
本実施の形態では、紙巻取芯軸５（６）に紙２が巻き取られて押圧ローラ１４，１５が押し広げられるとワイヤ４９が図１９の（ａ）において矢印Ｄ方向へ引っ張られてロータリーエンコーダ４７が回転し、この回転角度が距離信号として液晶表示板５１へ伝達されて該液晶表示板５１にて紙厚寸法を表示するようになっている。
【００５９】
本実施の形態においても、前記実施の形態１と同様の効果を奏することができる。
【００６０】
なお、前記実施の形態５において、ロータリーエンコーダ４７の回転角度を直接メータ計にて示すことにより、紙厚寸法を表示するようにしてもよく、この場合には、液晶表示板５１を必要としない。
【００６１】
実施の形態６．
【００６２】
図２０は本発明の実施の形態に係る立体創造物組み立て用ブロックの作製装置の本体を示す斜視図、図２１は図２０に図示する本体のＥ−Ｅ線縦断面図、図２２は図２０に図示する本体のＦ−Ｆ線縦断面図、図２３は本発明の実施の形態に係る立体創造物組み立て用ブロックの作製装置の組込用紙巻取芯軸を示す一部省略正面図、図２４は組立用紙巻取芯軸を示す一部省略正面図であり、図２３において組込用紙巻取芯軸の先端側及び元端部側は縦断面にて図示されており、図２４において組立用紙巻取芯軸の先端側は縦断面にて図示され、元端部側は省略されている。また、図２５は本体に組込用紙巻取芯軸を装着した状態を示すＦ−Ｆ線縦断面図、図２６は紙厚認知アーム部と板バネとの位置関係を説明する側面図であり、図２６の（ａ）は紙厚認知アーム部の待機状態を示し、図２６の（ｂ）は待機状態と紙巻取芯軸に嵌合させた状態との間の中間の状態を示し、図２６の（ｃ）は紙厚認知アーム部を紙巻取芯軸に嵌合させた状態を示す。また、図２７及び図２８は巻き取られた紙筒と紙厚認知アーム部との位置関係を説明する側面図であり、これらの図において、図１〜図３，図５及び図８〜図１２と同一符号は同一又は相当部分を示す。なお、図２０において案内板は一部省略されている。
【００６３】
本実施の形態における立体創造物組み立て用ブロックの作製装置は、本体５４と円筒状組込用紙巻取芯軸５（図２３参照）と円筒状組立用紙巻取芯軸６（図２４参照）とからなり、本体５４は、長方形の台板５５と、該台板５５の両短辺５５ａ　，５５ａ　に対面して立設されて相対する位置に軸受側軸穴１２（図２３参照）及び差込側軸穴１３（図２１参照）とが形成されている略台形状の軸受側支持板１０及び差込側支持板１１と、台板５５の一方側長辺５５ｂ　の端面を上向き傾斜面５５ｃ　（図２１参照）が形成されるように切り欠いて該傾斜面５５ｃ　に復元力を有する弾性薄板５６の一方端辺５６ａ　を揃えて該薄板５６の他方端辺５６ｂ　が前記軸受側軸穴１２と差込側軸穴１３とに紙巻取芯軸５，６を架設した際に軸受側支持板１０と差込側支持板１１との間に位置付けられる紙巻取芯軸５，６の軸心を通過して斜め上方までくる傾斜角で傾斜面５５ｃ　に固定されている該薄板５６と、該軸心に対して平行に沿うように前記一方側長辺５５ｂ　側の軸受側支持板１０と差込側支持板１１との間に横設された案内板１７と、前記台板５５が差込側支持板１１から狭い幅で延出するように該差込側支持板１１に設けられたスペーサ５７（図２１及び図２３参照）を介して差込側支持板１１に対して平行に立設された、該差込側支持板１１と同じ形状の略台形状添板５８と、前記軸心の鉛直下方であって該軸心に対して平行に差込側支持板１１と添板５８とに軸着された小軸５９（図２１及び図２３参照）を回転軸として該小軸５９に回動可能に軸着された、側方に向かって円弧凹状に開口して差込側軸穴１３と同じ軸穴が形成されていると共に、上部に作動突起６０ａ　が形成されている前記スペーサ５７の幅を越えない厚さの板状作動カム６０と、差込側軸穴１３に紙巻取芯軸５，６を挿着した際に紙巻取芯軸５，６のハンドル２１が間隙を有して回動可能に嵌まる円弧状凹部６１ａ　が上方に向かって開口していると共に、該ハンドル２１の肉厚と略同じ厚さを有する、前記添板５８の外形に納まる外形の案内ブロック６１と、軸受側支持板１０寄りの前記軸心の鉛直下方であって該軸心に対して平行に一対の板状軸受６２，６２に軸着されたアーム軸６３を回転軸として該アーム軸６３に回動可能に軸着されて架設された組込用紙巻取芯軸５に側方から嵌合して遊嵌状態で保持できる組込用の円弧状嵌合凹部（以下、単に「組込用凹部」ともいう。）６４を有する組込用紙厚認知アーム部（紙厚報知手段）（以下、単に「組込用アーム部」ともいう。）６５と、該組込用アーム部６５に並べてアーム軸６３に回動可能に軸着されて架設された組立用紙巻取芯軸６に側方から嵌合して遊嵌状態で保持できる組立用の円弧状嵌合凹部（以下、単に「組立用凹部」ともいう。）６６を有する組立用紙厚認知アーム部（紙厚報知手段）（以下、単に「組立用アーム部」ともいう。）６７と、軸受側軸穴１２に回動自在に挿着された凹状鍔付軸受６８とから構成されている。
【００６４】
そして、前記紙巻取芯軸５，６には、図２３に示すように、紙巻取芯軸５，６の元端部５ａ，６ａ側に該紙巻取芯軸５，６の軸心を回転軸とするように肉厚の前記ハンドル２１が固定されており、該ハンドル２１は円柱状に形成されて該円柱状ハンドル２１には、紙巻取芯軸５，６を一周して円柱状ハンドル２１に一体的に形成されたリング状内側スペーサ６９と、差込側軸穴１３に回動自在に嵌まる外径で前記差込側支持板１１と板状作動カム６０と添板５８とを合わせた厚さの幅を有して内側スペーサ６９を介して一体的に形成された筒状スペーサ７０と、内側スペーサ６９と同じ形状で筒状スペーサ７０に一体的に形成されたリング状外側スペーサ７１とが設けられている。なお、図２４において、紙巻取芯軸６の元端部６ａ側の円柱状ハンドル２１は省略されているが、紙巻取芯軸６においても、前記円柱状ハンドル２１と同じ円柱状ハンドル２１が固定されており、該紙巻取芯軸６の円柱状ハンドル２１においても、前記内側スペーサ６９、筒状スペーサ７０及び外側スペーサ７１と同じ内側スペーサ６９、筒状スペーサ７０及び外側スペーサ７１が設けられており、軸受側軸穴１２と差込側軸穴１３との間に筒径の異なる紙巻取芯軸５，６を架設する際に、差込側軸穴１３の穴径をそれに合わせて変更する必要がないようになっている。
【００６５】
また、前記差込側支持板１１と添板５８とは、その上部中央が差込側軸穴１３を含んでＵ字状に開口しており、これにより、上方から紙巻取芯軸５，６の元端部６ａ側を差込側軸穴１３に挿着することができ、内側スペーサ６９、筒状スペーサ７０及び外側スペーサ７１からなるスペーサ部の該筒状スペーサ７０が差込側軸穴１３に回動自在に嵌まることとなる。また、前記作動カム６０は、図２１に示すように、一端を差込側支持板１１に固定したコイルスプリング７２により小軸５９を中心として矢印Ｇ方向へ弾発されているので、紙の巻き取り中に差込側軸穴１３に挿着された紙巻取芯軸５，６が上方へ抜け出ることがない。さらに、前記案内ブロック６１は、円柱状ハンドル２１の肉厚と略同じ厚さに形成されて案内ブロック６１の上面から円柱状ハンドル２１の上部がはみ出しているので、手のひらで円柱状ハンドル２１を手前に回せば、力を入れることなく容易に紙巻取芯軸５，６を回すことができる。
【００６６】
また、前記案内板１７の上面には、前記軸心側の内側端面から糊付けできる所望幅を置いて長手方向に向かって形成された第一の切り溝７３が設けられていると共に、外側端面には切欠段差状の第二の切り溝７４が設けられており、これにより、第一の切り溝７３又は第二の切り溝７４に沿ってカッターの刃を走らせれば、巻き取って残った紙２を容易に切断することができる。
【００６７】
また、前記薄板５６は、架設された紙巻取芯軸５，６に組込・組立用アーム部６５，６７の組込・組立用凹部６４，６６を側方から嵌合できるように組込・組立用アーム部６５，６７が配置されている位置にあたる箇所を凹状に切り取った形状となっていると共に、薄板５６を台板５５へ容易に取付けることができるように、左右対称の位置においても凹状に切り取った形状となっている。また、紙巻取芯軸５，６が架設されれば、該紙巻取芯軸５，６により薄板５６の他方端辺５６ｂ　側が薄板５６の復元力に抗して上方から下方に向かって押し下げられるので、紙巻取芯軸５，６は薄板５６の復元力によって下方から上方に向かって押し上げる状態が保持されるから、巻き取られた紙の弛みの発生を防止することができ、作動カム６０を矢印Ｇとは反対方向へ回して紙巻取芯軸５，６の元端部５ａ，６ａ側を解放すれば、薄板５６による押し上げ復元力によって紙巻取芯軸５，６が自動で押し上げられる。
【００６８】
また、前記凹状鍔付軸受６８は、図２３及び図２４に示すように、該鍔付軸受６８の鍔部を内側にして軸受側支持板１０の軸受側軸穴１２に回動自在に挿着されており、軸受６８の鍔側面には円形の浅底凹部６８ａ　が形成され、さらに、奥に向かって該凹部６８ａ　の中心を同心円とする組立用紙巻取芯軸６の外径と同じ内径の深底組立用リング溝６８ｂ　が形成され、中央には浅底凹部６８ａ　の中央に顔を出す組込用紙巻取芯軸５の内径と同じ外径の組込用円柱部６８ｃ　が形成されているので、組込用紙巻取芯軸５を使用する際には、図２３に示すように、組込用紙巻取芯軸５の先端５ｂを組込用円柱部６８ｃ　に差し込み、組立用紙巻取芯軸６を使用する際には、図２４に示すように、組立用紙巻取芯軸６の先端６ｂを組立用リング溝６８ｂ　に差し込むことにより架設できるから、軸受側軸穴１２に嵌める軸受を付け替える必要がない。
【００６９】
また、前記組込用アーム部６５の組込用凹部６４の内径は、組込用凹部６４に密着状態で嵌合して組込用紙巻取芯軸５への巻き取りが阻止されたときの紙筒の径が組立用太筒ブロック４の空洞部７に嵌まる外径となるように、組立用紙巻取芯軸６の外径を越えない略同じ径に形成されており、これにより、組込用アーム部６５は組込用紙巻取芯軸５に巻き取られる紙の筒径が組立用太筒ブロック４の空洞部７に嵌まる外径に巻き取られたことを知らせるゲージの機能を果している。前記組立用アーム部６７の組立用凹部６６の内径は、組立用凹部６６に密着状態で嵌合して組立用紙巻取芯軸６への巻き取りが阻止されたときの紙筒の径が十分な剛性を有する組立用太筒ブロック４の外径となる径に形成されているので、組立用アーム部６７は丈夫な立体創造物に組み上げることができる組立用太筒ブロック４に巻き取られたことを知らせるゲージの機能を果している。
【００７０】
また、前記組込・組立用アーム部６５，６７の下端部には、図２２に示すように、前記アーム軸６３に軸着する、該組込・組立用アーム部６５，６７の長手方向と同じ方向に伸びる楕円形の軸用長穴６５ａ　，６７ａ　が設けられており、該軸用長穴６５ａ　，６７ａ　はアーム軸６３がスライドして移動できる形状になっているので、紙を巻き取るに従って紙巻取芯軸５，６のセンターと凹部６４，６６のセンターとが合い、紙巻取芯軸５，６に組込・組立用アーム部６５，６７の組込・組立用凹部６４，６６を嵌めて紙を巻き取った後の紙巻取芯軸５，６から組込・組立用アーム部６５，６７の組込・組立用凹部６４，６６を容易に外すことができる。また、組込・組立用アーム部６５，６７の下端面６５ｂ　，６７ｂ　は半円状に形成されており、軸用長穴６５ａ　，６７ａ　の斜め後方（円弧状嵌合凹部６４，６６に対して反対側）に当たる、該下端面６５ｂ　，６７ｂ　の下方位置には、後述する板バネを押圧する突起部６５ｃ　，６７ｃ　が設けられており、両軸受６２，６２に挟まれた台板５５表面には平底窪地７５が形成されて該平底窪地７５には前記両突起部６５ｃ　，６７ｃ　にそれぞれ対応するように板バネ７６，７６がそれぞれ装着されている。そして、該板バネ７６，７６は長方形の一枚板の両短辺を揃えて他方側を湾曲させた形状にして該湾曲側を円弧状嵌合凹部６４，６６とは反対側に向けて前記平底窪地７５に並べて設けられている。これにより、図２２に示すように、組込・組立用アーム部６５，６７を倒して待機した状態では、突起部６５ｃ　，６７ｃ　がアーム軸６３より前方に位置付けられるので、板バネ７６，７６の弾発力によりこの待機状態が保持され、図２５に示すように、組込・組立用凹部６４，６６を紙巻取芯軸５，６に嵌合する組込・組立用アーム部６５，６７が起立した状態では、突起部６５ｃ　，６７ｃ　がアーム軸６３より後方に位置付けられるので、板バネ７６，７６の弾発力によりこの起立した状態が保持され、図２６の（ｂ）に示すように、突起部６５ｃ　，６７ｃ　がアーム軸６３の略真下にある位置では、板バネ７６，７６の弾発力によりこの状態は保持されず、待機状態か、或いは、起立状態のいずれかの方向へ移動する。そして、これらの作用においてアーム軸６３は前記軸用長穴６５ａ　，６７ａ　を移動するので、板バネ７６，７６によるキック感が得られるようになっている。
【００７１】
次に、細筒ブロック３を作製する場合を例に採って使用方法について説明する。
【００７２】
差込側支持板１１と添板５８とによって形成された差込側軸穴１３に組込用紙巻取芯軸５の筒状スペーサ７０を位置付けると共に、組込用紙巻取芯軸５の先端５ｂを軸受６８の円柱部６８ｃ　に位置付け、作動カム６０を図２１における矢印Ｇ方向とは反対方向へ回して倒し、図２３に示すように、筒状スペーサ７０を差込側軸穴１３へ挿着する共に、組込用紙巻取芯軸５の先端５ｂを円柱部６８ｃ　に差し込んで組込用紙巻取芯軸５を軸受用軸穴１２と差込側軸穴１３とに架設する。この際、薄板５６の他方端辺５６ｂ　側は組込用紙巻取芯軸５により下方へ押さえ込まれる。次いで、図２５に示すように、待機状態にある組込用アーム部６５（図２６の（ａ）を参照）を図２５における矢印Ｈ方向へ回して組込用アーム部６５の組込用凹部６４を側方から組込用紙巻取芯軸５に嵌め込む。そして、組込用紙巻取芯軸５のスリット１８が案内板１７の内側端面に対面するように円柱状ハンドル２１を手のひらで回し、図２７に示すように、スリット１８の長さ以内の幅に切った折り込みチラシ２の先端部を案内板１７に載せて該チラシ２の先端辺をスリット１８に挿入し、該先端辺が組込用紙巻取芯軸５内に形成された縦断面円弧状スリット１８に沿って丸棒１９に回り込むまで押し込む。
【００７３】
続いて、円柱状ハンドル２１を手のひらで図２３における手前方向（図２５においては矢印Ｈ方向）へ回してチラシ２を巻き取っていく。巻き取られた紙筒が組込用凹部６４一杯に膨れ上がれば、組込用紙巻取芯軸５に巻き取られた紙筒が組込用凹部６４に密着状態で嵌合して組込用紙巻取芯軸５への巻き取りが阻止されるので、軽い手回しではチラシ２を巻き取ることができなくなり、これにより、組込用紙巻取芯軸５に巻き取られる紙の筒径が太筒ブロック４の空洞部７に嵌まる外径に巻き取られたことを認知することができる。
【００７４】
そして、案内板１７の上に残ったチラシ２の組込用紙巻取芯軸５側部分を幅方向へ向かって糊付けし、案内板１７に形成された切り溝７３にカッターの刃を当てて走らせて切断し、次いで、糊代を巻き取った紙筒へ張り付ける。
【００７５】
この後、作動カム６０を矢印Ｇ方向とは反対方向へ回して組込用紙巻取芯軸５を解放すれば、薄板５６の復元力により組込用紙巻取芯軸５が押し上げられるので、該組込用紙巻取芯軸５を本体５４から容易に取り外すことができる。
【００７６】
本実施の形態においても、太筒ブロック４の空洞部７に嵌まる外径の細筒ブロック３を容易に作製することができるので、前記実施の形態１と同様の効果を奏することができる。
【００７７】
なお、前記各実施の形態においては、紙厚報知手段が、組立用太筒ブロック４の空洞部７に嵌まる外径に巻き取られた紙筒の紙厚寸法を指示する紙厚表示部１６である場合、組込用紙巻取芯軸５に巻き取られた紙筒が円弧状嵌合凹部６４に密着状態で嵌合して該組込用紙巻取芯軸５への巻き取りが阻止されることにより当該組込用紙巻取芯軸５に巻き取られる紙の筒径が組立用太筒ブロック４の空洞部７に嵌まる外径に巻き取られたことを知らせる紙厚認知アーム部６５である場合について説明したが、これに限定されず、紙厚認知アーム部６５の円弧状嵌合凹部６４にマイクロスイッチやマイクロセンサーを内蔵して組込用紙巻取芯軸５に巻き取られる紙の筒径が組立用太筒ブロック４の空洞部７に嵌まる外径に巻き取られることによりスイッチが入り、ＬＥＤ、ブザー、音声等で知らせるようになっていてもよく、ハンドル２１にクラッチが内蔵されていて組込用紙巻取芯軸５に巻き取られた紙筒が円弧状嵌合凹部６４に密着状態で嵌合して該組込用紙巻取芯軸５への巻き取りが阻止されることにより、ハンドル２１が紙巻取芯軸５，６に対して空回りするようになっていてもよい。
【００７８】
【実施例】
実施例１：実施の形態１におけるブロック作製装置を用意し、Ａ３サイズの紙２を縦長に挿入できるスリット１８を形成した外径６ｍｍの組込用紙巻取芯軸５と外径８ｍｍの組立用紙巻取芯軸６とを使用し、組込用紙巻取芯軸５の内径は５ｍｍ，これに内設した丸棒９の外径は３ｍｍとし、組立用紙巻取芯軸６内径は７ｍｍ，これに内設した丸棒９の外径は４ｍｍとした。また、紙２には新聞の折り込みチラシを使用し、多数枚用意した。
【００７９】
前記紙２を前記組込用紙巻取芯軸５で巻き取って外径７〜８ｍｍ範囲の細筒ブロック３を複数個作製した。また、前記紙２を前記組立用紙巻取芯軸６で巻き取って外径１０ｍｍの太筒ブロック４を複数個作製した。
【００８０】
図８に示すように、前記細筒ブロック３を太筒ブロック４の空洞部７に挿着したところ、細筒ブロック３が太筒ブロック４に密着状態で嵌着された。また、太筒ブロック４の側面に開けた穴径７〜８ｍｍの組込穴８に細筒ブロック３を挿着したところ、細筒ブロック３が太筒ブロック４に密着状態で嵌着された。
【００８１】
なお、細筒ブロック３の端面をすり鉢状に削って太筒ブロック４の空洞部７に挿着してもよい。
【００８２】
実施例２：実施の形態６におけるブロック作製装置を用意し、前記実施例１の組込用紙巻取芯軸５と組立用紙巻取芯軸６を使用し、組込用アーム部６５の組込用凹部６４の内径を７．３ｍｍ　とし、組立用アーム部６７の組立用凹部６６の内径を９．３ｍｍ　とした。
【００８３】
本実施例においても、前記実施例１と同様の効果を奏する細筒ブロック３と太筒ブロック４とを作製することができた。
【００８４】
【発明の効果】
本発明によれば、毎日配達される新聞や折り込みチラシ、使用済みの包装紙やコピー紙等を用いて立体創造物を組み上げることができる立体創造物組み立て用ブロックを作製することができるから、市販の組立玩具を購入する必要がないので、幼稚園や小学校など、教育現場へ容易に取り入れることができ、不要になった紙のリサイクル化にも繋がって省エネルギーに貢献することができる。
【００８５】
また、子供が自由に発想した立体創造物を具現化できる立体創造物組み立て用ブロックを作製できるから、当該ブロックの作製から立体創造物の組み立てまでを親と子の共同作業により共に遊びながら創作することができ、親子の会話機会が増えるという効果を奏することができる。
【００８６】
従って、本発明の産業上利用性は非常に高いといえる。
【図面の簡単な説明】
【図１】本発明の実施の形態に係る立体創造物組み立て用ブロックの作製装置を示す斜視図である。
【図２】図１に図示した立体創造物組み立て用ブロックの作製装置における組立用紙巻取芯軸を示す一部省略斜視図である。
【図３】組込用紙巻取芯軸を示す一部省略斜視図である。
【図４】図１に図示した一組の押圧ローラと紙厚表示部との機構を説明する斜視図である。
【図５】組込用紙巻取芯軸を支持板の軸穴に架設した状態を示す組込用紙巻取芯軸の一部省略正面図である。
【図６】紙巻取芯軸と押圧ローラと紙厚表示部と案内板との位置関係を説明する側面図である。
【図７】紙巻取芯軸と押圧ローラと紙厚表示部と案内板との位置関係を説明する側面図である。
【図８】立体創造物組み立て用ブロックの作製装置により作製した組込用細筒ブロックと組立用太筒ブロックとを示す斜視図である。
【図９】立体創造物組み立て用ブロックの作製装置により作製した組込用細筒ブロックと組立用太筒ブロックとを示す斜視図である。
【図１０】紙巻取芯軸を差込側支持板の軸穴に通した状態を示す紙巻取芯軸の一部省略正面図である。
【図１１】軸受側軸穴と差込側軸穴との間に組込用紙巻取芯軸を架設した状態を示す一部省略縦断面図である。
【図１２】軸受側軸穴と差込側軸穴との間に組立用紙巻取芯軸を架設した状態を示す一部省略縦断面図である。
【図１３】紙巻取芯軸の説明図である。
【図１４】紙巻取芯軸の説明図である。
【図１５】紙巻取芯軸の説明図である。
【図１６】立体創造物の斜視図である。
【図１７】所望の形状に切断された紙の平面図である。
【図１８】図１７に図示する紙で作製された紙筒ブロックの正面図である。
【図１９】本発明の実施の形態に係る立体創作物組み立て用ブロックの作製装置の説明図である。
【図２０】本発明の実施の形態に係る立体創造物組み立て用ブロックの作製装置の本体を示す斜視図である。
【図２１】図２０に図示する本体のＥ−Ｅ線縦断面図である。
【図２２】図２０に図示する本体のＦ−Ｆ線縦断面図である。
【図２３】本発明の実施の形態に係る立体創造物組み立て用ブロックの作製装置の組込用紙巻取芯軸を示す一部省略正面図である。
【図２４】組立用紙巻取芯軸を示す一部省略正面図である。
【図２５】本体に組込用紙巻取芯軸を装着した状態を示すＦ−Ｆ線縦断面図である。
【図２６】紙厚認知アーム部と板バネとの位置関係を説明する側面図である。
【図２７】巻き取られた紙筒と紙厚認知アーム部との位置関係を説明する側面図である。
【図２８】巻き取られた紙筒と紙厚認知アーム部との位置関係を説明する側面図である。
【符号の説明】
１　立体創造物組み立て用ブロックの作製装置（ブロック作製装置）
２　紙
３　組込用細筒ブロック（細筒ブロック）
４　組立用太筒ブロック（太筒ブロック）
５　組込用紙巻取芯軸（紙巻取芯軸）
６　組立用紙巻取芯軸（紙巻取芯軸）
７　空洞部
８　組込穴
９　枠体
１０　軸受側支持板
１１　差込側支持板
１２　軸受側軸穴
１３　差込側軸穴
１４，１５　押圧ローラ
１６　紙厚表示部
１７　案内板
１８　スリット
１９　丸棒
２１　ハンドル（円盤状ハンドル、円柱状ハンドル）
２４，３５　軸受
２５　円形溝
２６　差込側アーム
２７，２８軸受側アーム
２９　圧縮バネ
３２　紙厚寸法目盛
３３　指示針
３４　差込側軸受
３６　組込用リング溝
３７　組立用リング溝
４０　立体創造物
４１　第一紙筒ブロック（組込用細筒ブロック）
４２　第二紙筒ブロック（組込用細筒ブロック：組立用太筒ブロック）
４３　第三紙筒ブロック（組立用太筒ブロック）
４４　第四紙筒ブロック（組立用太筒ブロック）
４５　第五紙筒ブロック
４６　距離測定装置（紙厚表示部）
４７　ロータリーエンコーダ
４８　Ｕ溝滑車
４９　ワイヤ
５１　液晶表示板
５４　本体
５６　弾性薄板
６０　板状作動カム
６１　案内ブロック
６４　円弧状嵌合凹部（組込用凹部）
６５　組込用紙厚認知アーム部（組込用アーム部）
６６　円弧状嵌合凹部（組立用凹部）
６７　組立用紙厚認知アーム部（組立用アーム部）
６８　凹状鍔付軸受
７３　第一の切り溝
７６　板バネ
【図１】
2004000435.tif 000003
【図２】
2004000435.tif 000004
【図３】
2004000435.tif 000005
【図４】
2004000435.tif 000006
【図５】
2004000435.tif 000007
【図６】
2004000435.tif 000008
【図７】
2004000435.tif 000009
【図８】
2004000435.tif 000010
【図９】
2004000435.tif 000011
【図１０】
2004000435.tif 000012
【図１１】
2004000435.tif 000013
【図１２】
2004000435.tif 000014
【図１３】
2004000435.tif 000015
【図１４】
2004000435.tif 000016
【図１５】
2004000435.tif 000017
【図１６】
2004000435.tif 000018
【図１７】
2004000435.tif 000019
【図１８】
2004000435.tif 000020
【図１９】
2004000435.tif 000021
【図２０】
2004000435.tif 000022
【図２１】
2004000435.tif 000023
【図２２】
2004000435.tif 000024
【図２３】
2004000435.tif 000025
【図２４】
2004000435.tif 000026
【図２５】
2004000435.tif 000027
【図２６】
2004000435.tif 000028
【図２７】
2004000435.tif 000029
【図２８】
2004000435.tif 000030
【手続補正書】
【提出日】平成14年12月16日(2002.12.16)
【手続補正１】
【補正対象書類名】明細書
【補正対象項目名】全文
【補正方法】変更
【補正の内容】
【発明の詳細な説明】
【特許請求の範囲】
【請求項１】紙を円筒状に巻いて形成した所望長さの組込用細筒ブロックと該組込用細筒ブロックが挿着できる内径を有する紙を円筒状に巻いて形成した所望長さの組立用太筒ブロックとの少なくとも当該二種類のブロックからなり、組立用太筒ブロックの空洞部或いは組立用太筒ブロックの側面に開口した組込穴に組込用細筒ブロックを挿着して立体創造物を組み立てることができることを特徴とする立体創造物組み立て用ブロックセット。
【請求項２】紙を円筒状に巻いて形成した所望長さの組込用細筒ブロックと紙を円筒状に巻いて形成した所望長さの組立用太筒ブロックとの少なくとも当該二種類のブロックからなり、前記組立用太筒ブロックは前記組込用細筒ブロックを挿着できる内径を有し、且つ、側面に組込用細筒ブロックの外径に略近い内径の組込穴が開口していることを特徴とする立体創造物組み立て用ブロックセット。
【請求項３】紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸とを備えていることを特徴とする立体創造物組み立て用ブロックの作製装置。
【請求項４】紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えていることを特徴とする立体創造物組み立て用ブロックの作製装置。
【請求項５】紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されていることを特徴とする立体創造物組み立て用ブロックの作製装置。
【請求項６】紙厚報知手段が組立用太筒ブロックの空洞部に嵌まる外径に巻き取られた紙筒の紙厚寸法を指示する紙厚表示部である請求項４又は５記載の立体創造物組み立て用ブロックの作製装置。
【請求項７】紙厚報知手段が軸穴に回転可能に架設された組込用紙巻取芯軸に側方から嵌合して遊嵌状態で保持される円弧状嵌合凹部を有する紙厚認知アーム部であり、組込用紙巻取芯軸に巻き取られた紙筒が円弧状嵌合凹部に密着状態で嵌合して該組込用紙巻取芯軸への巻き取りが阻止されることにより、当該組込用紙巻取芯軸に巻き取られる紙の筒径が組立用太筒ブロックの空洞部に嵌まる外径に巻き取られたことを知らせる請求項４又は５記載の立体創造物組み立て用ブロックの作製装置。
【請求項８】紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えていることを特徴とする立体創造物組み立て用ブロックの作製装置。
【請求項９】紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されていることを特徴とする立体創造物組み立て用ブロックの作製装置。
【発明の詳細な説明】
【０００１】
【発明の属する技術分野】
本発明は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組込用細筒ブロックを組立用太筒ブロックの空洞部や組立用太筒ブロックの側面に開口した組込穴に挿着して立体創造物を組み立てる立体創造物組み立て用ブロックセット及び前記二種類のブロックを作製するための立体創造物組み立て用ブロックの作製装置に関するものである。
【０００２】
【従来の技術】
周知の通り、子供の創造力を養う教育玩具としてプラスチック製のブロック同志を連結して立体創造物を組み立てる組立玩具（例えば、特許文献１参照）や予め想定される組上がりの立体創造物を各パーツに分割したブロックからなり、このブロックに電子部品等を組み込んで該各ブロックが有する組立可能な立体創造物を組み上げる組立玩具（例えば、特許文献２参照）が汎用されている。
【０００３】
なお、本発明に係る立体創造物組み立て用ブロックの作製装置に係る先行特許文献は見出せなかったので、当該装置における紙巻機構に係る先行特許文献として、ロール紙巻取装置に係る次の特許文献３を挙げた。
【０００４】
【特許文献１】
特開平８−１６８５７７号公報
【特許文献２】
特開平１０−１０８９８５号公報
【特許文献３】
特開平１１−２１７１３８号公報
【０００５】
【発明が解決しようとする課題】
しかし、前記従来の組立玩具で組み上げることができる立体創造物は、該組立玩具が内包する組立可能な範囲内での組上がり立体創造物に限られ、子供が自由に発想した立体創造物を具現化するには限界があるという問題点があった。また、前記従来の組立玩具を子供の創造力を養う教材用の教育玩具として使用するには組立玩具を子供の人数分用意する必要があるが、組立玩具が精密化、高級化して高価であるため、教育経費が嵩むという問題点があった。さらに、親が購入して子供にあてがうだけの前記従来の組立玩具では、親子の会話を減少させる傾向にあった。
【０００６】
そこで、本発明者は、子供が自由に発想した立体創造物を具現化できる立体創造物組み立て用ブロックセット及び該ブロックセットを得ることができる立体創造物組み立て用ブロックの作製装置を提供することを技術的課題として研究・実験を重ねた結果、立体創造物を組み上げるパーツを市販品により取り揃えるのではなく、毎日配布される新聞や折り込みチラシや包装紙や使用済みコピー紙等を使用して立体創造物を組み上げることができるパーツを作製すれば、市販の組立玩具を購入する必要がないので、教育現場へ容易に取り入れることができ、不要になった紙のリサイクル化にも繋がって省エネルギーにも貢献でき、しかも、親と子の共同作業により、子供が発想した立体創造物を構成する各パーツを作製すれば親子が共に遊ぶことができて親子の会話機会が増えるという刮目すべき知見を得、前記技術的課題を達成したものである。
【０００７】
【課題を解決するための手段】
前記技術的課題は、次の通りの本発明によって解決できる。
【０００８】
即ち、本発明に係る立体創造物組み立て用ブロックセットは、紙を円筒状に巻いて形成した所望長さの組込用細筒ブロックと該組込用細筒ブロックが挿着できる内径を有する紙を円筒状に巻いて形成した所望長さの組立用太筒ブロックとの少なくとも当該二種類のブロックからなり、組立用太筒ブロックの空洞部或いは組立用太筒ブロックの側面に開口した組込穴に組込用細筒ブロックを挿着して立体創造物を組み立てることができるものである。
【０００９】
また、本発明に係る立体創造物組み立て用ブロックセットは、紙を円筒状に巻いて形成した所望長さの組込用細筒ブロックと紙を円筒状に巻いて形成した所望長さの組立用太筒ブロックとの少なくとも当該二種類のブロックからなり、前記組立用太筒ブロックは前記組込用細筒ブロックを挿着できる内径を有し、且つ、側面に組込用細筒ブロックの外径に略近い内径の組込穴が開口しているものである。
【００１０】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸とを備えているものである。
【００１１】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えているものである。
【００１２】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と当該組込用紙巻取芯軸に巻き取られる紙の筒径が前記組立用太筒ブロックの空洞部に嵌まる外径に巻き取られたことを知らせる紙厚報知手段とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されているものである。
【００１３】
また、本発明は、前記いずれかの立体創造物組み立て用ブロックの作製装置において、紙厚報知手段を組立用太筒ブロックの空洞部に嵌まる外径に巻き取られた紙筒の紙厚寸法を指示する紙厚表示部としたものである。
【００１４】
また、本発明は、前記いずれかの立体創造物組み立て用ブロックの作製装置において、紙厚報知手段を軸穴に回転可能に架設された組込用紙巻取芯軸に側方から嵌合して遊嵌状態で保持される円弧状嵌合凹部を有する紙厚認知アーム部とし、組込用紙巻取芯軸に巻き取られた紙筒が円弧状嵌合凹部に密着状態で嵌合して該組込用紙巻取芯軸への巻き取りが阻止されることにより、当該組込用紙巻取芯軸に巻き取られる紙の筒径が組立用太筒ブロックの空洞部に嵌まる外径に巻き取られたことを知らせるものである。
【００１５】
また、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えているものである。
【００１６】
さらに、本発明に係る立体創造物組み立て用ブロックの作製装置は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して立体創造物を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸と軸穴に架設された紙巻取芯軸に両側から付勢して当接させる回動自在な一組の押圧ローラと組込用紙巻取芯軸に紙が巻き取られるに従って押し広げられる当該押圧ローラに連動して組立用太筒ブロックの空洞部に嵌まる外径に巻き取られた紙厚寸法を指示する紙厚表示部とを備えており、前記各紙巻取芯軸には紙巻取芯軸の軸心に対して平行に該紙巻取芯軸の先端まで走る前記紙の先端辺を挿入するスリットが設けられていると共に該スリットが紙巻取芯軸の側面から紙巻取芯軸内に向かって該紙巻取芯軸に内接する縦断面円弧状に形成されており、前記支持板には紙巻取芯軸を軸穴に架設した際の該紙巻取芯軸のスリットに沿う位置に前記紙の先端辺を該スリットに案内する案内板が横設されているものである。
【００１７】
【発明の実施の形態】
以下、本発明の実施の形態を図面に基づき説明する。
【００１８】
実施の形態１．
【００１９】
図１は本発明の実施の形態に係る立体創造物組み立て用ブロックの作製装置を示す斜視図、図２は図１に図示した立体創造物組み立て用ブロックの作製装置における組立用紙巻取芯軸を示す一部省略斜視図、図３は組込用紙巻取芯軸を示す一部省略斜視図、図４は図１に図示した一組の押圧ローラと紙厚表示部との機構を説明する斜視図、図５は組込用紙巻取芯軸を支持板の軸穴に架設した状態を示す組込用紙巻取芯軸の一部省略正面図であり、組込用紙巻取芯軸と支持板と軸受とは組込用紙巻取芯軸の軸心を通る縦断面にて図示されている。また、図６及び図７は紙巻取芯軸と押圧ローラと紙厚表示部と案内板との位置関係を説明する側面図、図８及び図９は本発明の実施の形態に係る立体創造物組み立て用ブロックセットにおける組込用細筒ブロックと組立用太筒ブロックとを示す斜視図である。なお、組込用紙巻取芯軸と組立用紙巻取芯軸とは外径の大きさは異なるが、形状は略同じであるため、図１においては組立用紙巻取芯軸を架設した場合について示し、図６及び図７に図示する紙巻取芯軸は組込用紙巻取芯軸と組立用紙巻取芯軸との両方の紙巻取芯軸を示している。なお、図５において一組の押圧ローラは省略されている。
【００２０】
これらの図において、１は、新聞や折り込みチラシや包装紙や使用済みコピー紙等の所望広さの紙２を円筒状に巻いた所望長さの組込用細筒ブロック（以下、「細筒ブロック」ともいう。）３（図８及び図９参照）と、細筒ブロック３が挿着できる内径を有する紙２を円筒状に巻いた所望長さの組立用太筒ブロック（以下、「太筒ブロック」ともいう。）４（図８及び図９参照）との当該二種類のブロックを作製するための立体創造物組み立て用ブロックの作製装置（以下、単に、「ブロック作製装置」ともいう。）であり、ブロック作製装置１は紙２を巻き取って細筒ブロック３を得る円筒状組込用紙巻取芯軸５（図３参照）と紙２を巻き取って太筒ブロック４を得る円筒状組立用紙巻取芯軸６（図１及び図２参照）とを備え、該ブロック作製装置１により長さや太さ、更には、外形状の異なる複数種類の細筒ブロック３と太筒ブロック４とを作製してこれらの細筒ブロック３と太筒ブロック４とからなるブロックセットを用いて太筒ブロック４の空洞部７（図８及び図９参照）や太筒ブロック４の側面に開けた組込穴８（図９参照）に細筒ブロック３を挿着して立体創造物を組み立てるものである。
【００２１】
前記ブロック作製装置１は、図１に示すように、上面及び前面が開口する箱型に形成された枠体９の両側板を形成する対面して立設された軸受側支持板１０と差込側支持板１１と、枠体９の前面側位置の軸受側支持板１０と差込側支持板１１との相対する位置に開口した、紙巻取芯軸５，６を挿入して回転可能に架設できる軸受側軸穴１２及び差込側軸穴１３と、軸受側軸穴１２と差込側軸穴１３とに架設された紙巻取芯軸５，６（図１においては組立用紙巻取芯軸６が架設されている。）に上下の両側から付勢して当接させる回動自在な一組の円柱状押圧ローラ１４，１５と、組込用紙巻取芯軸５に紙２が巻き取られるに従って押し広げられる押圧ローラ１４，１５に連動して太筒ブロック４の空洞部７に嵌まる外径に巻き取られた紙厚寸法を指示する紙厚表示部１６と、軸受側軸穴１２と差込側軸穴１３とに架設された紙巻取芯軸５，６の該軸心に対して平行に沿うように軸受側支持板１０と差込側支持板１１との間に横設された、紙２の先端辺を紙巻取芯軸５，６へ案内する案内板１７とから構成されており、前記軸受側軸穴１２と差込側軸穴１３との穴径は組立用紙巻取芯軸６を回動可能に挿設できる径に形成されている。
【００２２】
前記組立用紙巻取芯軸６は組込用紙巻取芯軸５の外径より大きい外径に形成されており、前記組込用紙巻取芯軸５は該組込用紙巻取芯軸５に紙２を充分巻き取った状態で組立用紙巻取芯軸６の外径を越えない径に形成されており、紙巻取芯軸５，６には、図２及び図３に示すように、いずれも紙巻取芯軸５，６の元端部５ａ，６ａを残して紙巻取芯軸５，６の軸心に対して平行に先端５ｂ，６ｂまで走る前記紙２の先端辺を挿入するスリット１８，１８が設けられ、紙巻取芯軸５，６の空洞内にはそれぞれ紙巻取芯軸５，６の内径より小さく該内径の１／２以上の外径で紙巻取芯軸５，６の全長より短い丸棒１９，１９が遊嵌状態で内蔵されて紙巻取芯軸５，６の元端部５ａ，６ａ側にて丸棒１９，１９に貫通した固定ピン２０，２０によりそれぞれ紙巻取芯軸５，６に固定されている。これによりスリット１８，１８の紙巻取芯軸５，６内は紙巻取芯軸５，６の側面から紙巻取芯軸５，６内に向かって該紙巻取芯軸５，６に内接する縦断面円弧状に形成されている（図６及び図７参照）。そして、前記案内板１７は紙巻取芯軸５，６が軸受側軸穴１２と差込側軸穴１３との間に架設されたときに該紙巻取芯軸５，６のスリット１８，１８に沿う位置に位置付けられ、当該案内板１７によって紙２の先端辺を容易にスリット１８に挿入することができ、縦断面円弧状のスリット形状によってスリット１８内に挿入された紙２の先端辺が紙巻取芯軸５，６内にて円弧状に納まり、丸棒１９，１９によって抜け取れが抑制されるようになっている。さらに、スリット１８，１８は紙巻取芯軸５，６の側面において先端５ｂ，６ｂまで形成されているので、紙巻取芯軸５，６に巻かれた紙筒を容易に抜き取ることができる。
【００２３】
前記紙巻取芯軸５，６には、図１乃至図３に示すように、紙巻取芯軸５，６の元端部５ａ，６ａ側に該紙巻取芯軸５，６の軸心を回転軸とするように円盤状ハンドル２１，２１が固定されており、該円盤状ハンドル２１，２１の側面の外周位置には紙巻取芯軸５，６を手回しする手回把手２２，２２が回動自在に設けられ、前記組込用紙巻取芯軸５の円盤状ハンドル２１には、図３及び図５に示すように、組込用紙巻取芯軸５の軸心を回転軸とする、差込側軸穴１３に回動可能に嵌まる円柱状ボス２３が一体的に設けられており、該組込用紙巻取芯軸５を差込側軸穴１３から通して軸受側軸穴１２と差込側軸穴１３とに回転可能に架設する場合には、組込用紙巻取芯軸５の先端５ｂを軸受側軸穴１２に回動可能に嵌めた鍔付円柱状軸受２４に挿着するようになっており、このため軸受２４の円柱面には、図５に示すように、軸受２４の軸心を中心とする組込用紙巻取芯軸５の肉厚径と同じ肉厚径のリング状円形溝２５が形成されて該円形溝２５に組込用紙巻取芯軸５の先端５ｂが嵌まる形状となっている。
【００２４】
前記押圧ローラ１４，１５は、図４に示すように、鋏状に交差させて差込側軸穴１３より奥側の差込側支持板１１に内側から回動自在に軸着した一対の差込側アーム２６，２６と同じく鋏状に交差させて軸受側軸穴１２より奥側にて当該一対の差込側アーム２６，２６に相対させて軸受側支持板１０に内側から回動自在に軸着した一対の軸受側アーム２７，２８とにおける枠体９前面側に当たる先端部２６ａ　と先端部２７ａ　、同じく先端部２６ａ　と先端部２８ａ　とにそれぞれ回動自在に軸着されている。そして、差込側アーム２６，２６の後端部２６ｂ　，２６ｂ　及び軸受側アーム２７，２８の後端部２７ｂ　，２８ｂ　近傍にはそれぞれ圧縮バネ２９，２９が掛け渡されて軸受側軸穴１２と差込側軸穴１３とに架設された紙巻取芯軸５，６を上下から平行に付勢して当接するようになっている。これにより、巻かれている紙筒（細筒ブロック３用紙筒，太筒ブロック４用紙筒）が常に圧縮された状態となり、この状態が保持されて巻き取られる。
【００２５】
また、前記軸受側アーム２７の後端部２７ｂ　には鋏状に交差した軸受側アーム２７，２８の軸心３０を中心として上方に円弧状に立設した目盛板３１が設けられていると共に、前記軸受側アーム２８の後端部２８ｂ　には当該目盛板３１に刻印された紙厚寸法目盛３２を指し示す指示針３３が形成されており、目盛板３１と紙厚寸法目盛３２と指示針３３とにより前記紙厚表示部１６を構成している。これにより、紙巻取芯軸５，６に紙２が巻き取られるに従って押圧ローラ１４，１５が押し広げられ、押圧ローラ１４，１５の動きに連動して目盛板３１が軸心３０を中心として下方へ動くと共に、軸受側アーム２８の後端部２８ｂ　が軸心３０を中心として上方へ動いて指示針３３が紙厚寸法目盛３２を指し示し、紙巻取芯軸５，６に巻き取られた紙筒の紙厚寸法を指示するようになっており、当該紙厚表示部１６によって組込用紙巻取芯軸５に巻き取られた紙２の紙厚が太筒ブロック４の空洞部７に嵌まる外径に巻き取られた紙厚寸法であるか否かを確認することができるようになっている。
【００２６】
次に、使用方法について説明する。
【００２７】
太筒ブロック４を作製する場合には、図１に示すように、差込側支持板１１の差込側軸穴１３から組立用紙巻取芯軸６を挿入し、上下の押圧ローラ１４，１５間に割り込ました状態で該組立用紙巻取芯軸６の先端６ｂを軸受側支持板１０の軸受側軸穴１２に通して軸受側軸穴１２と差込側軸穴１３との間に組立用紙巻取芯軸６を架設し、組立用紙巻取芯軸６のスリット１８が案内板１７の先端部１７ａ　に対面するように円盤状ハンドル２１の手回把手２２を持って組立用紙巻取芯軸６を回す。次いで、図６に示すように、スリット１８の長さ以内の幅に切った折り込みチラシ２の先端部を案内板１７に載せて該チラシ２の先端辺をスリット１８に挿入し、該先端辺が組立用紙巻取芯軸６内に形成された縦断面円弧状スリット１８に沿って丸棒１９に回り込むまで押し込む。
【００２８】
この後、手回把手２２を持って組立用紙巻取芯軸６を図６において矢印Ａ方向、即ち、チラシ２の先端辺がスリット１８の開口位置にて折り曲がる方向に回転させてチラシ２を巻き取っていく。図７に示すように、チラシ２が組立用紙巻取芯軸６に巻き取られるに従って押圧ローラ１４，１５が圧縮バネ２９，２９に抗して押し広げられ、押圧ローラ１４，１５の動きに連動して指示針３３が充分な剛性を有する厚さの太筒ブロック４用の紙筒となったことを示す紙厚寸法目盛３２を指示すれば、チラシ２の巻き取りを止めて案内板１７上に残ったチラシ２を案内板１７の先端部１７ａ　近傍にて切断して巻き取られた側の端面に糊等の接着剤を塗布して紙筒に接着する。
【００２９】
そして、組立用紙巻取芯軸６を差込側軸穴１３側から引き抜けば、スリット１８が組立用紙巻取芯軸６の先端６ｂまで形成されているので、太筒ブロック４用の紙筒が差込側支持板１１に遮られて枠体９内に残った状態で組立用紙巻取芯軸６から抜き取られる。当該太筒ブロック４用の紙筒を所望長さに切断すれば、太筒ブロック４ができ上がる。
【００３０】
次に、細筒ブロック３を作製する場合には、図５に示すように、軸受側軸穴１２に軸受２４を回動可能に嵌めた後、差込側軸穴１３から組込用紙巻取芯軸５を挿入して上下の押圧ローラ１４，１５間に割り込ました状態で該組込用紙巻取芯軸５の先端５ｂを軸受２４の円形溝２５に挿着する。このとき、ハンドル２１のボス２３は差込側軸穴１３に回動可能に嵌まっており、軸受側軸穴１２と差込側軸穴１３との間に組込用紙巻取芯軸５が架設された状態となる。
【００３１】
この後、前記組立用紙巻取芯軸６の場合と同様にして、図６に示すように、チラシ２の先端辺をスリット１８に挿入し、図７に示すように、チラシ２を巻き取っていく。チラシ２が組込用紙巻取芯軸５に巻き取られるに従って押圧ローラ１４，１５が圧縮バネ２９，２９に抗して押し広げられ、指示針３３が前記太筒ブロック４の内径寸法を示す紙厚寸法目盛３２を指示すれば、チラシ２の巻き取りを止めて案内板１７上に残ったチラシ２を切断して糊等を塗布して紙筒に接着し、細筒ブロック３用の紙筒を得る。当該細筒ブロック３用の紙筒を所望長さに切断すれば、細筒ブロック３ができ上がる。
【００３２】
本実施の形態では、太筒ブロック４と該太筒ブロック４の内径に略近い外径の細筒ブロック３を容易に作製することができるので、図８に示すように、太筒ブロック４の空洞部７に細筒ブロック３を密着状態に挿着することができ、図９に示すように、太筒ブロック４の側面に細筒ブロック３の外径に略近い内径の組込穴８を開けて該組込穴８に細筒ブロック３を挿着すれば、細筒ブロック３が太筒ブロック４に密着状態で装着される。
【００３３】
当該太筒ブロック４と細筒ブロック３とからなるブロックセットを用いれば、太筒ブロック４と細筒ブロック３とを任意の形状に組み立てることができるので、容易に立体創造物を組み上げることができ、当該ブロックセットには新聞や折り込みチラシや包装紙や使用済みコピー紙等を使用することができるので、材料費を必要とせず、当該紙２に印刷された字やイラスト等を絵模様として利用することもできる。
【００３４】
本実施の形態においては、ブロック作製装置１の上面及び前面全体が開口しているが、前面の開口は紙２を案内板１７上に差し入れて載せることができ、巻き取った紙筒を取り出すことができるスペースがあればよく、上面の開口は前記紙筒の端を糊付けでき、紙厚表示部１６の紙厚寸法目盛３２を確認することができるスペースがあればよい。
【００３５】
また、各押圧ローラ１４，１５は、各一枚からなる円板状押圧ローラであってもよく、複数個からなる円板状押圧ローラであってもよい。
【００３６】
また、ハンドル２１に噛合する減速回転用のギヤ系を設けてモータにより紙巻取芯軸５，６を回転させるようにしてもよい。
【００３７】
さらに、紙厚表示部１６が差込側アーム２６，２６の後端部２６ｂ　，２６ｂ　又は軸受側アーム２７，２８の後端部２７ｂ　，２８ｂ　に連結されたゲージメータ表示或いは液晶表示の距離測定器であり、対になったアーム後端部間（２６ｂ　と２６ｂ　、又は２７ｂ　と２８ｂ　）の広がり幅を表示するものであってもよい。
【００３８】
実施の形態２．
【００３９】
本実施の形態は、前記実施の形態１における紙巻取芯軸５，６を軸受側軸穴１２と差込側軸穴１３との間に架設する方法の変形例であり、図１０は紙巻取芯軸を差込側支持板の軸穴に通した状態を示す紙巻取芯軸の一部省略正面図であり、紙巻取芯軸と支持板と差込側軸受とは紙巻取芯軸の軸心を通る縦断面にて図示されている。また、図１１は軸受側軸穴と差込側軸穴との間に組込用紙巻取芯軸を架設した状態を示す一部省略縦断面図、図１２は軸受側軸穴と差込側軸穴との間に組立用紙巻取芯軸を架設した状態を示す一部省略縦断面図である。
【００４０】
図１０に示す変形例では、差込側軸穴１３の内径が組立用紙巻取芯軸６の外径より大きい内径に形成されており、紙巻取芯軸５，６が架設された状態における紙巻取芯軸５，６の差込側軸穴１３位置には該差込側軸穴１３に回動自在に嵌まる鍔付差込側軸受３４，３４が装着されている。また、丸棒１９，１９は紙巻取芯軸５，６内におけるスリット１８，１８が縦断面円弧状に形成されるようにハンドル２１に挿設されている。
【００４１】
本変形例では、鍔付差込側軸受３４を差込側軸穴１３に残した状態で紙巻取芯軸５，６を抜き取れば、細筒ブロック３用紙筒或いは太筒ブロック４用紙筒が軸受３４，３４に阻まれて枠体９内の残るので、当該紙筒を容易に取り出すことができる。
【００４２】
次に、図１１及び図１２に示す変形例では、軸受側軸穴１２の内径が組立用紙巻取芯軸６の外径より大きい内径に形成されており、軸受側軸穴１２には該軸受側軸穴１２に回動自在に嵌まる鍔付軸受３５が装着されている。そして、該軸受３５の円柱面には軸受３５の軸心を中心とする組込用紙巻取芯軸５の肉厚径と同じ肉厚径の組込用リング溝３６と該組込用リング溝３６を含んで該組込用リング溝３６より深い溝の組立用紙巻取芯軸６の外径と同じ内径の組立用リング溝３７が形成されている。
【００４３】
本変形例では、軸受３５に各紙巻取芯軸５，６の先端部５ｂ，６ｂを挿着できるリング溝３６，３７が形成されているので、使用する紙巻取芯軸によって軸受側軸穴１２に嵌める軸受を付け替える必要がない。
【００４４】
実施の形態３．
【００４５】
本実施の形態は、前記実施の形態１におけるスリット１８の変形例であり、図１３は紙巻取芯軸の説明図であり、図１３の（ａ）は紙巻取芯軸のスリットが見える正面図、図１３の（ｂ）は図１３の（ａ）におけるＢ−Ｂ線縦断面図である。また、図１４及び図１５は紙巻取芯軸の説明図であり、図１３に図示する紙巻取芯軸におけるＢ−Ｂ線縦断面と同等の断面図である。
【００４６】
図１３に示す変形例においては、紙巻取芯軸５，６が該紙巻取芯軸５，６を形成する縦断面半円弧状の樋型カバー３８と、該樋型カバー３８を被せることによって紙巻取芯軸５，６の側面にてスリット１８の開口幅を残した状態でスリット１８が形成される、両側に細幅路３９ａ　，３９ｂ　が走る中央部が半円状に隆起した合わせ軸部３９とから構成されており、スリット１８の開口を形成した状態で合わせ軸部３９に樋型カバー３８を被せて樋型カバー３８の端面と細幅路３９ａ　とを密着固定してなるものである。
【００４７】
また、図１４に示す変形例においては、丸棒１９がスリット１８の開口を臨むように該開口と対面する紙巻取芯軸５，６の内壁に接着されているものであり、本変形例においても紙巻取芯軸５，６内に紙巻取芯軸５，６に内接する縦断面円弧状のスリット１８が形成される。
【００４８】
さらに、図１５に示す変形例においては、紙巻取芯軸５，６が丸棒からなり、スリット１８が紙巻取芯軸５，６の外形を保持した状態で紙巻取芯軸５，６の側面から紙巻取芯軸５，６内に向かって紙巻取芯軸５，６に内接する縦断面円弧状に食い込んで形成されているものである。
【００４９】
本各変形例においても、縦断面円弧状のスリット１８が形成されているので、実施の形態１と同様の効果を奏することができる。
【００５０】
なお、図１３及び図１５に示す変形例における紙巻取芯軸５，６を使用するブロック作製装置１では、これらの図において矢印Ｃ方向にのみ回転させる歯車を紙巻取芯軸５，６に設けると共に、枠体９の支持板に当該歯車を一方向きに係止させる爪部を設けて紙巻取芯軸５，６の回転方向を規制する構成にしてもよい。
【００５１】
実施の形態４．
【００５２】
図１６は本発明の実施の形態に係る立体創造物組み立て用ブロックセットで組み上げた立体創造物の斜視図、図１７は所望の形状に切断された紙の平面図、図１８は図１７に図示する紙で作製された紙筒ブロックの正面図であり、４０は第一紙筒ブロック４１と第二紙筒ブロック４２と第三紙筒ブロック４３と第四紙筒ブロック４４と第五紙筒ブロック４５とからなるブロックセットを使用して組み上げたレーシングカー状の立体創造物であり、第一紙筒ブロック４１を車軸及びマフラーとして組み込み、第二紙筒ブロック４２を車軸受として組み込み、第三紙筒ブロック４３をボディーとして組み込み、第四紙筒ブロック４４を車輪として組み込み、第五紙筒ブロック４５を座席として組み込んだものである。
【００５３】
第一紙筒ブロック４１は、組込用紙巻取芯軸５を用いて作製した細筒ブロック３であり、第二紙筒ブロック４２と第三紙筒ブロック４３とは第一紙筒ブロック４１を挿着できる内径となっており、第三紙筒ブロック４３の側面に形成された組込穴８に第一紙筒ブロック４１が挿着されているので、該第一紙筒ブロック４１に対しては組立用紙巻取芯軸６を用いて作製した太筒ブロック４であり、第四紙筒ブロック４４は、第二紙筒ブロック４２を挿着できる内径に形成されているので、第二紙筒ブロック４２に対しては他の組立用紙巻取芯軸６を用いて作製した太筒ブロック４である。また、第五紙筒ブロック４５は第三紙筒ブロック４３の外径より小さい外径に作製されている。
【００５４】
従って、当該五種類からなるブロックセットにおいては、最も細い第一紙筒ブロック４１が細筒ブロック３となり、最も太い第四紙筒ブロック４４は太筒ブロック４となる。そして、その間の太さの第二紙筒ブロック４２は、この紙筒ブロック４２の空洞部７に嵌めることができる外径の第一紙筒ブロック４１に対しては太筒ブロック４となり、この紙筒ブロック４２を嵌めることができる空洞部７を有する第四紙筒ブロック４４に対しては細筒ブロック３となるので、第二紙筒ブロック４２を作製する紙巻取芯軸は組込用紙巻取芯軸５でもあり、組立用紙巻取芯軸６でもある。
【００５５】
次に、図１７に示すように、例えば、包装紙２を空洞部を形成する紙面２ａを残して櫛歯状に切断し、紙巻取芯軸５，６で巻き取れば、図１８に示すように、正面視略串刺珠状の細筒ブロック３又は太筒ブロック４を得ることができる。
【００５６】
実施の形態５．
【００５７】
本実施の形態は、前記実施の形態１における紙厚表示部の変形例であり、図１９は本発明の実施の形態に係る立体創作物組み立て用ブロックの作製装置の説明図であり、図１９の（ａ）は立体創作物組み立て用ブロックの作製装置の側面図、図１９の（ｂ）は図１９の（ａ）に図示した立体創作物組み立て用ブロックの作製装置の正面図、図１９の（ｃ）は図１９の（ａ）に図示した立体創作物組み立て用ブロックの作製装置の前面部を示す一部省略平面図であり、図１９の（ａ）において枠体は省略され、図１９の（ｂ）において案内板は省略されている。これらの図において、図１〜図１８と同一符号は同一又は相当部分を示し、４６は紙巻取芯軸５（６）に巻き取られる紙２の紙厚寸法をロータリーエンコーダ４７の回転角度に基づきデジタル表示する距離測定装置（紙厚表示部）である。
【００５８】
前記距離測定装置４６は、枠体９の後部に配設された前記ロータリーエンコーダ４７と、押圧ローラ１４，１５の軸受側支持板１０側端部にそれぞれ回動自在に軸着したＵ溝滑車４８，４８と、ワイヤ４９の一端を軸受側支持板１０に設けたワイヤ止め５０に固定する共に、前記Ｕ溝滑車４８，４８に掛け渡して張った状態で他端をロータリーエンコーダ４７に固定した該ワイヤ４９と、ロータリーエンコーダ４７からの回転角度に基づく距離信号を受けてデジタル表示する液晶表示板５１とから構成されている。
【００５９】
なお、図１９の（ａ）において、５２は巻き取られた紙筒を取り出すガイド路であり、図１９の（ｃ）において、５３，５３は案内板１７の上面両側に設けられた、紙２の先端辺を紙巻取芯軸５（６）のスリット１８（１８）に導く仕切壁である。また、本実施の形態における紙巻取芯軸５（６）は該紙巻取芯軸５（６）を架設した際のＵ溝滑車４８，４８に当たる位置を含んで先端まで細く形成されており、Ｕ溝滑車４８，４８の外径は押圧ローラ１４，１５の外径と略同じ径となっている。
【００６０】
本実施の形態では、紙巻取芯軸５（６）に紙２が巻き取られて押圧ローラ１４，１５が押し広げられるとワイヤ４９が図１９の（ａ）において矢印Ｄ方向へ引っ張られてロータリーエンコーダ４７が回転し、この回転角度が距離信号として液晶表示板５１へ伝達されて該液晶表示板５１にて紙厚寸法を表示するようになっている。
【００６１】
本実施の形態においても、前記実施の形態１と同様の効果を奏することができる。
【００６２】
なお、前記実施の形態５において、ロータリーエンコーダ４７の回転角度を直接メータ計にて示すことにより、紙厚寸法を表示するようにしてもよく、この場合には、液晶表示板５１を必要としない。
【００６３】
実施の形態６．
【００６４】
図２０は本発明の実施の形態に係る立体創造物組み立て用ブロックの作製装置の本体を示す斜視図、図２１は図２０に図示する本体のＥ−Ｅ線縦断面図、図２２は図２０に図示する本体のＦ−Ｆ線縦断面図、図２３は本発明の実施の形態に係る立体創造物組み立て用ブロックの作製装置の組込用紙巻取芯軸を示す一部省略正面図、図２４は組立用紙巻取芯軸を示す一部省略正面図であり、図２３において組込用紙巻取芯軸の先端側及び元端部側は縦断面にて図示されており、図２４において組立用紙巻取芯軸の先端側は縦断面にて図示され、元端部側は省略されている。また、図２５は本体に組込用紙巻取芯軸を装着した状態を示すＦ−Ｆ線縦断面図、図２６は紙厚認知アーム部と板バネとの位置関係を説明する側面図であり、図２６の（ａ）は紙厚認知アーム部の待機状態を示し、図２６の（ｂ）は待機状態と紙巻取芯軸に嵌合させた状態との間の中間の状態を示し、図２６の（ｃ）は紙厚認知アーム部を紙巻取芯軸に嵌合させた状態を示す。また、図２７及び図２８は巻き取られた紙筒と紙厚認知アーム部との位置関係を説明する側面図であり、これらの図において、図１〜図３，図５及び図８〜図１２と同一符号は同一又は相当部分を示す。なお、図２０において案内板は一部省略されている。
【００６５】
本実施の形態における立体創造物組み立て用ブロックの作製装置は、本体５４と円筒状組込用紙巻取芯軸５（図２３参照）と円筒状組立用紙巻取芯軸６（図２４参照）とからなり、本体５４は、長方形の台板５５と、該台板５５の両短辺５５ａ　，５５ａ　に対面して立設されて相対する位置に軸受側軸穴１２（図２３参照）及び差込側軸穴１３（図２１参照）とが形成されている略台形状の軸受側支持板１０及び差込側支持板１１と、台板５５の一方側長辺５５ｂ　の端面を上向き傾斜面５５ｃ　（図２１参照）が形成されるように切り欠いて該傾斜面５５ｃ　に復元力を有する弾性薄板５６の一方端辺５６ａ　を揃えて該薄板５６の他方端辺５６ｂ　が前記軸受側軸穴１２と差込側軸穴１３とに紙巻取芯軸５，６を架設した際に軸受側支持板１０と差込側支持板１１との間に位置付けられる紙巻取芯軸５，６の軸心を通過して斜め上方までくる傾斜角で傾斜面５５ｃ　に固定されている該薄板５６と、該軸心に対して平行に沿うように前記一方側長辺５５ｂ　側の軸受側支持板１０と差込側支持板１１との間に横設された案内板１７と、前記台板５５が差込側支持板１１から狭い幅で延出するように該差込側支持板１１に設けられたスペーサ５７（図２１及び図２３参照）を介して差込側支持板１１に対して平行に立設された、該差込側支持板１１と同じ形状の略台形状添板５８と、前記軸心の鉛直下方であって該軸心に対して平行に差込側支持板１１と添板５８とに軸着された小軸５９（図２１及び図２３参照）を回転軸として該小軸５９に回動可能に軸着された、側方に向かって円弧凹状に開口して差込側軸穴１３と同じ軸穴が形成されていると共に、上部に作動突起６０ａ　が形成されている前記スペーサ５７の幅を越えない厚さの板状作動カム６０と、差込側軸穴１３に紙巻取芯軸５，６を挿着した際に紙巻取芯軸５，６のハンドル２１が間隙を有して回動可能に嵌まる円弧状凹部６１ａ　が上方に向かって開口していると共に、該ハンドル２１の肉厚と略同じ厚さを有する、前記添板５８の外形に納まる外形の案内ブロック６１と、軸受側支持板１０寄りの前記軸心の鉛直下方であって該軸心に対して平行に一対の板状軸受６２，６２に軸着されたアーム軸６３を回転軸として該アーム軸６３に回動可能に軸着されて架設された組込用紙巻取芯軸５に側方から嵌合して遊嵌状態で保持できる組込用の円弧状嵌合凹部（以下、単に「組込用凹部」ともいう。）６４を有する組込用紙厚認知アーム部（紙厚報知手段）（以下、単に「組込用アーム部」ともいう。）６５と、該組込用アーム部６５に並べてアーム軸６３に回動可能に軸着されて架設された組立用紙巻取芯軸６に側方から嵌合して遊嵌状態で保持できる組立用の円弧状嵌合凹部（以下、単に「組立用凹部」ともいう。）６６を有する組立用紙厚認知アーム部（紙厚報知手段）（以下、単に「組立用アーム部」ともいう。）６７と、軸受側軸穴１２に回動自在に挿着された凹状鍔付軸受６８とから構成されている。
【００６６】
そして、前記紙巻取芯軸５，６には、図２３に示すように、紙巻取芯軸５，６の元端部５ａ，６ａ側に該紙巻取芯軸５，６の軸心を回転軸とするように肉厚の前記ハンドル２１が固定されており、該ハンドル２１は円柱状に形成されて該円柱状ハンドル２１には、紙巻取芯軸５，６を一周して円柱状ハンドル２１に一体的に形成されたリング状内側スペーサ６９と、差込側軸穴１３に回動自在に嵌まる外径で前記差込側支持板１１と板状作動カム６０と添板５８とを合わせた厚さの幅を有して内側スペーサ６９を介して一体的に形成された筒状スペーサ７０と、内側スペーサ６９と同じ形状で筒状スペーサ７０に一体的に形成されたリング状外側スペーサ７１とが設けられている。なお、図２４において、紙巻取芯軸６の元端部６ａ側の円柱状ハンドル２１は省略されているが、紙巻取芯軸６においても、前記円柱状ハンドル２１と同じ円柱状ハンドル２１が固定されており、該紙巻取芯軸６の円柱状ハンドル２１においても、前記内側スペーサ６９、筒状スペーサ７０及び外側スペーサ７１と同じ内側スペーサ６９、筒状スペーサ７０及び外側スペーサ７１が設けられており、軸受側軸穴１２と差込側軸穴１３との間に筒径の異なる紙巻取芯軸５，６を架設する際に、差込側軸穴１３の穴径をそれに合わせて変更する必要がないようになっている。
【００６７】
また、前記差込側支持板１１と添板５８とは、その上部中央が差込側軸穴１３を含んでＵ字状に開口しており、これにより、上方から紙巻取芯軸５，６の元端部６ａ側を差込側軸穴１３に挿着することができ、内側スペーサ６９、筒状スペーサ７０及び外側スペーサ７１からなるスペーサ部の該筒状スペーサ７０が差込側軸穴１３に回動自在に嵌まることとなる。また、前記作動カム６０は、図２１に示すように、一端を差込側支持板１１に固定したコイルスプリング７２により小軸５９を中心として矢印Ｇ方向へ弾発されているので、紙の巻き取り中に差込側軸穴１３に挿着された紙巻取芯軸５，６が上方へ抜け出ることがない。さらに、前記案内ブロック６１は、円柱状ハンドル２１の肉厚と略同じ厚さに形成されて案内ブロック６１の上面から円柱状ハンドル２１の上部がはみ出しているので、手のひらで円柱状ハンドル２１を手前に回せば、力を入れることなく容易に紙巻取芯軸５，６を回すことができる。
【００６８】
また、前記案内板１７の上面には、前記軸心側の内側端面から糊付けできる所望幅を置いて長手方向に向かって形成された第一の切り溝７３が設けられていると共に、外側端面には切欠段差状の第二の切り溝７４が設けられており、これにより、第一の切り溝７３又は第二の切り溝７４に沿ってカッターの刃を走らせれば、巻き取って残った紙２を容易に切断することができる。
【００６９】
また、前記薄板５６は、架設された紙巻取芯軸５，６に組込・組立用アーム部６５，６７の組込・組立用凹部６４，６６を側方から嵌合できるように組込・組立用アーム部６５，６７が配置されている位置にあたる箇所を凹状に切り取った形状となっていると共に、薄板５６を台板５５へ容易に取付けることができるように、左右対称の位置においても凹状に切り取った形状となっている。また、紙巻取芯軸５，６が架設されれば、該紙巻取芯軸５，６により薄板５６の他方端辺５６ｂ　側が薄板５６の復元力に抗して上方から下方に向かって押し下げられるので、紙巻取芯軸５，６は薄板５６の復元力によって下方から上方に向かって押し上げる状態が保持されるから、巻き取られた紙の弛みの発生を防止することができ、作動カム６０を矢印Ｇとは反対方向へ回して紙巻取芯軸５，６の元端部５ａ，６ａ側を解放すれば、薄板５６による押し上げ復元力によって紙巻取芯軸５，６が自動で押し上げられる。
【００７０】
また、前記凹状鍔付軸受６８は、図２３及び図２４に示すように、該鍔付軸受６８の鍔部を内側にして軸受側支持板１０の軸受側軸穴１２に回動自在に挿着されており、軸受６８の鍔側面には円形の浅底凹部６８ａ　が形成され、さらに、奥に向かって該凹部６８ａ　の中心を同心円とする組立用紙巻取芯軸６の外径と同じ内径の深底組立用リング溝６８ｂ　が形成され、中央には浅底凹部６８ａ　の中央に顔を出す組込用紙巻取芯軸５の内径と同じ外径の組込用円柱部６８ｃ　が形成されているので、組込用紙巻取芯軸５を使用する際には、図２３に示すように、組込用紙巻取芯軸５の先端５ｂを組込用円柱部６８ｃ　に差し込み、組立用紙巻取芯軸６を使用する際には、図２４に示すように、組立用紙巻取芯軸６の先端６ｂを組立用リング溝６８ｂ　に差し込むことにより架設できるから、軸受側軸穴１２に嵌める軸受を付け替える必要がない。
【００７１】
また、前記組込用アーム部６５の組込用凹部６４の内径は、組込用凹部６４に密着状態で嵌合して組込用紙巻取芯軸５への巻き取りが阻止されたときの紙筒の径が組立用太筒ブロック４の空洞部７に嵌まる外径となるように、組立用紙巻取芯軸６の外径を越えない略同じ径に形成されており、これにより、組込用アーム部６５は組込用紙巻取芯軸５に巻き取られる紙の筒径が組立用太筒ブロック４の空洞部７に嵌まる外径に巻き取られたことを知らせるゲージの機能を果している。前記組立用アーム部６７の組立用凹部６６の内径は、組立用凹部６６に密着状態で嵌合して組立用紙巻取芯軸６への巻き取りが阻止されたときの紙筒の径が十分な剛性を有する組立用太筒ブロック４の外径となる径に形成されているので、組立用アーム部６７は丈夫な立体創造物に組み上げることができる組立用太筒ブロック４に巻き取られたことを知らせるゲージの機能を果している。
【００７２】
また、前記組込・組立用アーム部６５，６７の下端部には、図２２に示すように、前記アーム軸６３に軸着する、該組込・組立用アーム部６５，６７の長手方向と同じ方向に伸びる楕円形の軸用長穴６５ａ　，６７ａ　が設けられており、該軸用長穴６５ａ　，６７ａ　はアーム軸６３がスライドして移動できる形状になっているので、紙を巻き取るに従って紙巻取芯軸５，６のセンターと凹部６４，６６のセンターとが合い、紙巻取芯軸５，６に組込・組立用アーム部６５，６７の組込・組立用凹部６４，６６を嵌めて紙を巻き取った後の紙巻取芯軸５，６から組込・組立用アーム部６５，６７の組込・組立用凹部６４，６６を容易に外すことができる。また、組込・組立用アーム部６５，６７の下端面６５ｂ　，６７ｂ　は半円状に形成されており、軸用長穴６５ａ　，６７ａ　の斜め後方（円弧状嵌合凹部６４，６６に対して反対側）に当たる、該下端面６５ｂ　，６７ｂ　の下方位置には、後述する板バネを押圧する突起部６５ｃ　，６７ｃ　が設けられており、両軸受６２，６２に挟まれた台板５５表面には平底窪地７５が形成されて該平底窪地７５には前記両突起部６５ｃ　，６７ｃ　にそれぞれ対応するように板バネ７６，７６がそれぞれ装着されている。そして、該板バネ７６，７６は長方形の一枚板の両短辺を揃えて他方側を湾曲させた形状にして該湾曲側を円弧状嵌合凹部６４，６６とは反対側に向けて前記平底窪地７５に並べて設けられている。これにより、図２２に示すように、組込・組立用アーム部６５，６７を倒して待機した状態では、突起部６５ｃ　，６７ｃ　がアーム軸６３より前方に位置付けられるので、板バネ７６，７６の弾発力によりこの待機状態が保持され、図２５に示すように、組込・組立用凹部６４，６６を紙巻取芯軸５，６に嵌合する組込・組立用アーム部６５，６７が起立した状態では、突起部６５ｃ　，６７ｃ　がアーム軸６３より後方に位置付けられるので、板バネ７６，７６の弾発力によりこの起立した状態が保持され、図２６の（ｂ）に示すように、突起部６５ｃ　，６７ｃ　がアーム軸６３の略真下にある位置では、板バネ７６，７６の弾発力によりこの状態は保持されず、待機状態か、或いは、起立状態のいずれかの方向へ移動する。そして、これらの作用においてアーム軸６３は前記軸用長穴６５ａ　，６７ａ　を移動するので、板バネ７６，７６によるキック感が得られるようになっている。
【００７３】
次に、細筒ブロック３を作製する場合を例に採って使用方法について説明する。
【００７４】
差込側支持板１１と添板５８とによって形成された差込側軸穴１３に組込用紙巻取芯軸５の筒状スペーサ７０を位置付けると共に、組込用紙巻取芯軸５の先端５ｂを軸受６８の円柱部６８ｃ　に位置付け、作動カム６０を図２１における矢印Ｇ方向とは反対方向へ回して倒し、図２３に示すように、筒状スペーサ７０を差込側軸穴１３へ挿着する共に、組込用紙巻取芯軸５の先端５ｂを円柱部６８ｃ　に差し込んで組込用紙巻取芯軸５を軸受用軸穴１２と差込側軸穴１３とに架設する。この際、薄板５６の他方端辺５６ｂ　側は組込用紙巻取芯軸５により下方へ押さえ込まれる。次いで、図２５に示すように、待機状態にある組込用アーム部６５（図２６の（ａ）を参照）を図２５における矢印Ｈ方向へ回して組込用アーム部６５の組込用凹部６４を側方から組込用紙巻取芯軸５に嵌め込む。そして、組込用紙巻取芯軸５のスリット１８が案内板１７の内側端面に対面するように円柱状ハンドル２１を手のひらで回し、図２７に示すように、スリット１８の長さ以内の幅に切った折り込みチラシ２の先端部を案内板１７に載せて該チラシ２の先端辺をスリット１８に挿入し、該先端辺が組込用紙巻取芯軸５内に形成された縦断面円弧状スリット１８に沿って丸棒１９に回り込むまで押し込む。
【００７５】
続いて、円柱状ハンドル２１を手のひらで図２３における手前方向（図２５においては矢印Ｈ方向）へ回してチラシ２を巻き取っていく。巻き取られた紙筒が組込用凹部６４一杯に膨れ上がれば、組込用紙巻取芯軸５に巻き取られた紙筒が組込用凹部６４に密着状態で嵌合して組込用紙巻取芯軸５への巻き取りが阻止されるので、軽い手回しではチラシ２を巻き取ることができなくなり、これにより、組込用紙巻取芯軸５に巻き取られる紙の筒径が太筒ブロック４の空洞部７に嵌まる外径に巻き取られたことを認知することができる。
【００７６】
そして、案内板１７の上に残ったチラシ２の組込用紙巻取芯軸５側部分を幅方向へ向かって糊付けし、案内板１７に形成された切り溝７３にカッターの刃を当てて走らせて切断し、次いで、糊代を巻き取った紙筒へ張り付ける。
【００７７】
この後、作動カム６０を矢印Ｇ方向とは反対方向へ回して組込用紙巻取芯軸５を解放すれば、薄板５６の復元力により組込用紙巻取芯軸５が押し上げられるので、該組込用紙巻取芯軸５を本体５４から容易に取り外すことができる。
【００７８】
本実施の形態においても、太筒ブロック４の空洞部７に嵌まる外径の細筒ブロック３を容易に作製することができるので、前記実施の形態１と同様の効果を奏することができる。
【００７９】
なお、前記各実施の形態においては、紙厚報知手段が、組立用太筒ブロック４の空洞部７に嵌まる外径に巻き取られた紙筒の紙厚寸法を指示する紙厚表示部１６である場合、組込用紙巻取芯軸５に巻き取られた紙筒が円弧状嵌合凹部６４に密着状態で嵌合して該組込用紙巻取芯軸５への巻き取りが阻止されることにより当該組込用紙巻取芯軸５に巻き取られる紙の筒径が組立用太筒ブロック４の空洞部７に嵌まる外径に巻き取られたことを知らせる紙厚認知アーム部６５である場合について説明したが、これに限定されず、紙厚認知アーム部６５の円弧状嵌合凹部６４にマイクロスイッチやマイクロセンサーを内蔵して組込用紙巻取芯軸５に巻き取られる紙の筒径が組立用太筒ブロック４の空洞部７に嵌まる外径に巻き取られることによりスイッチが入り、ＬＥＤ、ブザー、音声等で知らせるようになっていてもよく、ハンドル２１にクラッチが内蔵されていて組込用紙巻取芯軸５に巻き取られた紙筒が円弧状嵌合凹部６４に密着状態で嵌合して該組込用紙巻取芯軸５への巻き取りが阻止されることにより、ハンドル２１が紙巻取芯軸５，６に対して空回りするようになっていてもよい。
【００８０】
【実施例】
実施例１：実施の形態１におけるブロック作製装置を用意し、Ａ３サイズの紙２を縦長に挿入できるスリット１８を形成した外径６ｍｍの組込用紙巻取芯軸５と外径８ｍｍの組立用紙巻取芯軸６とを使用し、組込用紙巻取芯軸５の内径は５ｍｍ，これに内設した丸棒９の外径は３ｍｍとし、組立用紙巻取芯軸６内径は７ｍｍ，これに内設した丸棒９の外径は４ｍｍとした。また、紙２には新聞の折り込みチラシを使用し、多数枚用意した。
【００８１】
前記紙２を前記組込用紙巻取芯軸５で巻き取って外径７〜８ｍｍ範囲の細筒ブロック３を複数個作製した。また、前記紙２を前記組立用紙巻取芯軸６で巻き取って外径１０ｍｍの太筒ブロック４を複数個作製した。
【００８２】
図８に示すように、前記細筒ブロック３を太筒ブロック４の空洞部７に挿着したところ、細筒ブロック３が太筒ブロック４に密着状態で嵌着された。また、太筒ブロック４の側面に開けた穴径７〜８ｍｍの組込穴８に細筒ブロック３を挿着したところ、細筒ブロック３が太筒ブロック４に密着状態で嵌着された。
【００８３】
なお、細筒ブロック３の端面をすり鉢状に削って太筒ブロック４の空洞部７に挿着してもよい。
【００８４】
実施例２：実施の形態６におけるブロック作製装置を用意し、前記実施例１の組込用紙巻取芯軸５と組立用紙巻取芯軸６を使用し、組込用アーム部６５の組込用凹部６４の内径を７．３ｍｍ　とし、組立用アーム部６７の組立用凹部６６の内径を９．３ｍｍ　とした。
【００８５】
本実施例においても、前記実施例１と同様の効果を奏する細筒ブロック３と太筒ブロック４とを作製することができた。
【００８６】
【発明の効果】
本発明によれば、毎日配達される新聞や折り込みチラシ、使用済みの包装紙やコピー紙等を用いて立体創造物を組み上げることができる立体創造物組み立て用ブロックを作製することができるから、市販の組立玩具を購入する必要がないので、幼稚園や小学校など、教育現場へ容易に取り入れることができ、不要になった紙のリサイクル化にも繋がって省エネルギーに貢献することができる。
【００８７】
また、子供が自由に発想した立体創造物を具現化できる立体創造物組み立て用ブロックを作製できるから、当該ブロックの作製から立体創造物の組み立てまでを親と子の共同作業により共に遊びながら創作することができ、親子の会話機会が増えるという効果を奏することができる。
【００８８】
従って、本発明の産業上利用性は非常に高いといえる。
【図面の簡単な説明】
【図１】本発明の実施の形態に係る立体創造物組み立て用ブロックの作製装置を示す斜視図である。
【図２】図１に図示した立体創造物組み立て用ブロックの作製装置における組立用紙巻取芯軸を示す一部省略斜視図である。
【図３】組込用紙巻取芯軸を示す一部省略斜視図である。
【図４】図１に図示した一組の押圧ローラと紙厚表示部との機構を説明する斜視図である。
【図５】組込用紙巻取芯軸を支持板の軸穴に架設した状態を示す組込用紙巻取芯軸の一部省略正面図である。
【図６】紙巻取芯軸と押圧ローラと紙厚表示部と案内板との位置関係を説明する側面図である。
【図７】紙巻取芯軸と押圧ローラと紙厚表示部と案内板との位置関係を説明する側面図である。
【図８】本発明の実施の形態に係る立体創造物組み立て用ブロックセットにおける組込用細筒ブロックと組立用太筒ブロックとを示す斜視図である。
【図９】本発明の実施の形態に係る立体創造物組み立て用ブロックセットにおける組込用細筒ブロックと組立用太筒ブロックとを示す斜視図である。
【図１０】紙巻取芯軸を差込側支持板の軸穴に通した状態を示す紙巻取芯軸の一部省略正面図である。
【図１１】軸受側軸穴と差込側軸穴との間に組込用紙巻取芯軸を架設した状態を示す一部省略縦断面図である。
【図１２】軸受側軸穴と差込側軸穴との間に組立用紙巻取芯軸を架設した状態を示す一部省略縦断面図である。
【図１３】紙巻取芯軸の説明図である。
【図１４】紙巻取芯軸の説明図である。
【図１５】紙巻取芯軸の説明図である。
【図１６】本発明の実施の形態に係る立体創造物組み立て用ブロックセットで組み上げた立体創造物の斜視図である。
【図１７】所望の形状に切断された紙の平面図である。
【図１８】図１７に図示する紙で作製された紙筒ブロックの正面図である。
【図１９】本発明の実施の形態に係る立体創作物組み立て用ブロックの作製装置の説明図である。
【図２０】本発明の実施の形態に係る立体創造物組み立て用ブロックの作製装置の本体を示す斜視図である。
【図２１】図２０に図示する本体のＥ−Ｅ線縦断面図である。
【図２２】図２０に図示する本体のＦ−Ｆ線縦断面図である。
【図２３】本発明の実施の形態に係る立体創造物組み立て用ブロックの作製装置の組込用紙巻取芯軸を示す一部省略正面図である。
【図２４】組立用紙巻取芯軸を示す一部省略正面図である。
【図２５】本体に組込用紙巻取芯軸を装着した状態を示すＦ−Ｆ線縦断面図である。
【図２６】紙厚認知アーム部と板バネとの位置関係を説明する側面図である。
【図２７】巻き取られた紙筒と紙厚認知アーム部との位置関係を説明する側面図である。
【図２８】巻き取られた紙筒と紙厚認知アーム部との位置関係を説明する側面図である。
【符号の説明】
１　立体創造物組み立て用ブロックの作製装置（ブロック作製装置）
２　紙
３　組込用細筒ブロック（細筒ブロック）
４　組立用太筒ブロック（太筒ブロック）
５　組込用紙巻取芯軸（紙巻取芯軸）
６　組立用紙巻取芯軸（紙巻取芯軸）
７　空洞部
８　組込穴
９　枠体
１０　軸受側支持板
１１　差込側支持板
１２　軸受側軸穴
１３　差込側軸穴
１４，１５　押圧ローラ
１６　紙厚表示部
１７　案内板
１８　スリット
１９　丸棒
２１　ハンドル（円盤状ハンドル、円柱状ハンドル）
２４，３５　軸受
２５　円形溝
２６　差込側アーム
２７，２８軸受側アーム
２９　圧縮バネ
３２　紙厚寸法目盛
３３　指示針
３４　差込側軸受
３６　組込用リング溝
３７　組立用リング溝
４０　立体創造物
４１　第一紙筒ブロック（組込用細筒ブロック）
４２　第二紙筒ブロック（組込用細筒ブロック：組立用太筒ブロック）
４３　第三紙筒ブロック（組立用太筒ブロック）
４４　第四紙筒ブロック（組立用太筒ブロック）
４５　第五紙筒ブロック
４６　距離測定装置（紙厚表示部）
４７　ロータリーエンコーダ
４８　Ｕ溝滑車
４９　ワイヤ
５１　液晶表示板
５４　本体
５６　弾性薄板
６０　板状作動カム
６１　案内ブロック
６４　円弧状嵌合凹部（組込用凹部）
６５　組込用紙厚認知アーム部（組込用アーム部）
６６　円弧状嵌合凹部（組立用凹部）
６７　組立用紙厚認知アーム部（組立用アーム部）
６８　凹状鍔付軸受
７３　第一の切り溝
７６　板バネ
【手続補正２】
【補正対象書類名】図面
【補正対象項目名】図１２
【補正方法】変更
【補正の内容】
【図１２】
2004000435.tif 000031
【手続補正３】
【補正対象書類名】図面
【補正対象項目名】図１８
【補正方法】変更
【補正の内容】
【図１８】
2004000435.tif 000032